(57)【要約】【課題】無線通信ネットワークにおけるステーション統計測定のためのラジオ測定手順を提供する。【解決手段】本方法において、要請ステーションは、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送する。そして、要請ステーションは、前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信する。【選択図】図６
2010532947.tif 000002
【特許請求の範囲】
【請求項１】
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信することを含むラジオ測定手順。
【請求項２】
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する請求項１に記載のラジオ測定手順。
【請求項３】
前記ＱｏＳステーションカウンタトリガ条件サブフィールドは、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち一つに設定された一つまたはその以上のビットフィールドを含む請求項２に記載のラジオ測定手順。
【請求項４】
前記ＱｏＳステーションカウンタに対するトリガリポーティングフィールドは、ＱｏＳ失敗閾値（ＱｏＳ  Ｆａｉｌｅｄ  Ｔｈｒｅｓｈｏｌｄ）サブフィールド、ＱｏＳリトライ閾値（ＱｏＳ  Ｒｅｔｒｙ  Ｔｈｒｅｓｈｏｌｄ）サブフィールド、ＱｏＳ多重リトライ閾値（ＱｏＳ  Ｍｕｌｔｉｐｌｅ  Ｒｅｔｒｙ  Ｔｈｒｅｓｈｏｌｄ）サブフィールド、ＱｏＳフレーム複製閾値（ＱｏＳ  Ｆｒａｍｅ  Ｄｕｐｌｉｃａｔｅ  Ｔｈｒｅｓｈｏｌｄ）サブフィールド、ＱｏＳ  ＲＴＳ失敗閾値（ＱｏＳ  ＲＴＳ  Ｆａｉｌｕｒｅ  Ｔｈｒｅｓｈｏｌｄ）サブフィールド、ＱｏＳ  ＡＣＫ失敗閾値（ＱｏＳ  ＡＣＫ  Ｆａｉｌｕｒｅ  Ｔｈｒｅｓｈｏｌｄ）サブフィールド、ＱｏＳ廃棄閾値（ＱｏＳ  Ｄｉｓｃａｒｄｅｄ  Ｔｈｒｅｓｈｏｌｄ）サブフィールドのうち一つまたはその以上のサブフィールドを含む請求項２に記載のラジオ測定手順。
【請求項５】
前記ＱｏＳステーションカウンタに対するトリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む請求項４に記載のラジオ測定手順。
【請求項６】
前記グループ識別子フィールド及び前記ＱｏＳステーションカウンタに対するトリガリポーティングフィールドは、測定要請要素の測定要請に含まれて、
前記測定要請要素は、ステーション統計要請を指示する値に設定される測定類型をさらに含み、前記トリガＱｏＳステーション統計測定要請メッセージである第１のラジオ測定要請フレームに含まれる請求項１に記載のラジオ測定手順。
【請求項７】
前記グループ識別子フィールドは、ＱｏＳカウンタテーブルからのＵＰ０に対するＱｏＳステーションカウンタ、ＱｏＳカウンタテーブルからのＵＰ１に対するＱｏＳステーションカウンタ、ＱｏＳカウンタテーブルからのＵＰ２に対するＱｏＳステーションカウンタ、ＱｏＳカウンタテーブルからのＵＰ３に対するＱｏＳステーションカウンタ、ＱｏＳカウンタテーブルからのＵＰ４に対するＱｏＳステーションカウンタ、ＱｏＳカウンタテーブルからのＵＰ５に対するＱｏＳステーションカウンタ、ＱｏＳカウンタテーブルからのＵＰ６に対するＱｏＳステーションカウンタ、及びＱｏＳカウンタテーブルからのＵＰ７に対するＱｏＳステーションカウンタのうち一つのＱｏＳステーションカウンタを指示する値に設定される請求項６に記載のラジオ測定手順。
【請求項８】
前記測定要請は、０に設定された測定持続時間（Ｍｅａｓｕｒｅｍｅｎｔ  Ｄｕｒａｔｉｏｎ）フィールドをさらに含む請求項６に記載のラジオ測定手順。
【請求項９】
前記測定要請要素内のイネイブルビット（ｅｎａｂｌｅ  ｂｉｔ）及びリポートビット（ｒｅｐｏｒｔ  ｂｉｔ）の両方とも１に設定される請求項６に記載のラジオ測定手順。
【請求項１０】
前記被要請ステーションが前記第１のラジオ測定要請フレームによって開始された前記トリガＱｏＳステーション統計測定を終了するために、イネイブルビットは１に、リポートビットは０に設定されたＱｏＳステーション統計測定要請を含む第２のラジオ測定要請フレームを前記被要請ステーションに伝送することをさらに含む請求項９に記載のラジオ測定手順。
【請求項１１】
前記トリガ条件をアップデートするために新しいトリガ条件を含む第３のラジオ測定要請フレームを前記被要請ステーションに伝送することをさらに含む請求項６に記載のラジオ測定手順。
【請求項１２】
前記ＱｏＳステーション統計測定リポートメッセージは、測定リポート要素を含むラジオ測定報告フレームであり、
前記測定リポート要素は、ＱｏＳステーション統計リポートを指示する値に設定された測定類型及び測定リポートを含み、
前記測定リポートは、前記被要請ステーションが前記ＱｏＳステーション統計測定リポートメッセージを送る理由を指示するビットフィールドであるリポーティング理由（Ｒｅｐｏｒｔｉｎｇ  Ｒｅａｓｏｎ）フィールドを含む請求項６に記載のラジオ測定手順。
【請求項１３】
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを要請ステーションから受信して、
前記要請されたＱｏＳステーション統計を測定して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記要請ステーションに伝送することを含むラジオ測定手順。
【請求項１４】
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する請求項１３に記載のラジオ測定手順。
【請求項１５】
前記ＱｏＳステーションカウンタトリガ条件は、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち一つに設定された一つまたはその以上のビットフィールドを含む請求項１４に記載のラジオ測定手順。
【請求項１６】
前記ＱｏＳステーションカウンタに対するトリガリポーティングフィールドは、ＱｏＳ失敗閾値（ＱｏＳ  Ｆａｉｌｅｄ  Ｔｈｒｅｓｈｏｌｄ）サブフィールド、ＱｏＳリトライ閾値（ＱｏＳ  Ｒｅｔｒｙ  Ｔｈｒｅｓｈｏｌｄ）サブフィールド、ＱｏＳ多重リトライ閾値（ＱｏＳ  Ｍｕｌｔｉｐｌｅ  Ｒｅｔｒｙ  Ｔｈｒｅｓｈｏｌｄ）サブフィールド、ＱｏＳフレーム複製閾値（ＱｏＳ  Ｆｒａｍｅ  Ｄｕｐｌｉｃａｔｅ  Ｔｈｒｅｓｈｏｌｄ）サブフィールド、ＱｏＳ  ＲＴＳ失敗閾値（ＱｏＳ  ＲＴＳ  Ｆａｉｌｕｒｅ  Ｔｈｒｅｓｈｏｌｄ）サブフィールド、ＱｏＳ  ＡＣＫ失敗閾値（ＱｏＳ  ＡＣＫ  Ｆａｉｌｕｒｅ  Ｔｈｒｅｓｈｏｌｄ）サブフィールド、ＱｏＳ廃棄閾値（ＱｏＳ  Ｄｉｓｃａｒｄｅｄ  Ｔｈｒｅｓｈｏｌｄ）サブフィールドのうち一つまたはその以上のサブフィールドを含む請求項１４に記載のラジオ測定手順。
【請求項１７】
前記ＱｏＳステーションカウンタに対するトリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む請求項１６に記載のラジオ測定手順。
【請求項１８】
前記グループ識別子フィールド及び前記ＱｏＳステーションカウンタに対するトリガリポーティングフィールドは、測定要請要素の測定要請に含まれて、
前記測定要請要素は、ステーション統計要請を指示する値に設定される測定類型をさらに含み、前記トリガＱｏＳステーション統計測定要請メッセージである第１のラジオ測定要請フレームに含まれる請求項１３に記載のラジオ測定手順。
【請求項１９】
前記測定要請は、０に設定された測定持続時間（Ｍｅａｓｕｒｅｍｅｎｔ  Ｄｕｒａｔｉｏｎ）フィールドをさらに含み、
前記測定要請要素内のイネイブルビット（ｅｎａｂｌｅ  ｂｉｔ）及びリポートビット（ｒｅｐｏｒｔ  ｂｉｔ）の両方とも１に設定された請求項１８に記載のラジオ測定手順。
【請求項２０】
イネイブルビットは１に、リポートビットは０に設定されたＱｏＳステーション統計測定要請を含む第２のラジオ測定要請フレームを前記要請ステーションから受信する場合、前記第１のラジオ測定要請フレームによって開始された前記トリガＱｏＳステーション統計測定を終了することをさらに含む請求項１９に記載のラジオ測定手順。
【請求項２１】
新しいトリガ条件を含む第３のラジオ測定要請フレームを前記要請ステーションから受信する場合、前記トリガ条件をアップデートすることをさらに含む請求項１３に記載のラジオ測定手順。
【請求項２２】
前記ＱｏＳステーション統計測定リポートメッセージは、測定リポート要素を含むラジオ測定報告フレームであり、
前記測定リポート要素は、ＱｏＳステーション統計リポートを指示する値に設定された測定類型及び測定リポートを含み、
前記測定リポートは、前記ＱｏＳステーション統計測定リポートメッセージを送る理由を指示するビットフィールドであるリポーティング理由（Ｒｅｐｏｒｔｉｎｇ  Ｒｅａｓｏｎ）フィールドを含む請求項１３に記載のラジオ測定手順。
【請求項２３】
前記測定されたＱｏＳステーション統計は、前記トリガリポーティングフィールドの測定カウントフィールドで与えられた前記トリガ条件以前に伝送されたＭＳＤＵの数にわたって累積された値である請求項１３に記載のラジオ測定手順。
【請求項２４】
無線通信ネットワークにおけるステーション統計測定のためのラジオ測定手順を支援するステーションにおいて、
フレームを生成して処理するプロセッサ；及び
前記プロセッサと連結されて、前記プロセッサのためのフレームを伝送して受信する送受信機を含み、前記送受信機は、
前記プロセッサによって生成されて、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信するステーション。
【請求項２５】
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する請求項２４に記載のステーション。
【請求項２６】
無線通信ネットワークにおけるトリガステーション統計測定手順のためのラジオ測定要請フレームを構成する方法において、前記ラジオ測定要請フレームは、
ラジオ測定カテゴリを指示する値に設定されたカテゴリフィールド；
測定要請を指示する値に設定されたアクションフィールド；及び
一つまたはその以上の測定要請要素を含む測定要請要素フィールドを含み、
前記一つまたはその以上の測定要請要素の各々は、
測定要請要素を指示する要素ＩＤフィールド；
前記一つまたはその以上の測定要請要素のうち固有の０でない値に設定された測定トークンフィールド；
イネイブルビットが１に、リポートビットが１に設定された測定要請モードフィールド；
ステーション統計要請を指示する値に設定された測定類型フィールド；及び
測定持続時間（Ｍｅａｓｕｒｅｍｅｎｔ  Ｄｕｒａｔｉｏｎ）フィールド、グループ識別子フィールド、及びＱｏＳステーションカウンタに対するトリガリポーティングフィールドを含む測定要請フィールドを含み、
前記グループ識別子フィールドは、ＱｏＳカウンタテーブルからのＵＰ０に対するＱｏＳステーションカウンタ、ＱｏＳカウンタテーブルからのＵＰ１に対するＱｏＳステーションカウンタ、ＱｏＳカウンタテーブルからのＵＰ２に対するＱｏＳステーションカウンタ、ＱｏＳカウンタテーブルからのＵＰ３に対するＱｏＳステーションカウンタ、ＱｏＳカウンタテーブルからのＵＰ４に対するＱｏＳステーションカウンタ、ＱｏＳカウンタテーブルからのＵＰ５に対するＱｏＳステーションカウンタ、ＱｏＳカウンタテーブルからのＵＰ６に対するＱｏＳステーションカウンタ、及びＱｏＳカウンタテーブルからのＵＰ７に対するＱｏＳステーションカウンタのうち一つのＱｏＳステーションカウンタを指示する値に設定されて、及び
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する方法。
【請求項２７】
前記測定要請要素の各々は、０に設定された前記測定持続時間（Ｍｅａｓｕｒｅｍｅｎｔ  Ｄｕｒａｔｉｏｎ）フィールドをさらに含む請求項２６に記載の方法。
【請求項２８】
無線通信ネットワークにおけるステーション統計測定手順のための測定要請要素を含むトリガリポーティングフィールドのフォーマットにおいて、前記トリガリポーティングフィールドは、
トリガステーション統計リポーティングが要請される時、リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在するトリガリポーティングフィールドのフォーマット。
【請求項２９】
前記ＱｏＳステーションカウンタトリガ条件は、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち少なくとも一つのビットフィールドを含む請求項２８に記載のトリガリポーティングフィールドのフォーマット。
【請求項３０】
前記トリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む請求項２８に記載のトリガリポーティングフィールドのフォーマット。
【発明の詳細な説明】
【技術分野】
【０００１】
本発明は、無線通信システム（Ｗｉｒｅｌｅｓｓ  Ｃｏｍｍｕｎｉｃａｔｉｏｎ  Ｓｙｓｔｅｍ）に関し、より詳しくは、無線通信システムにおけるステーション（Ｓｔａｔｉｏｎ、ＳＴＡ）統計（Ｓｔａｔｉｓｔｉｃｓ）と関連するラジオ測定（Ｒａｄｉｏ  Ｍｅａｓｕｒｅｍｅｎｔ）手順及びこれを支援する装置に関する。
【背景技術】
【０００２】
情報通信技術の発展とともに多様な無線通信技術が開発されている。このうち、無線ＬＡＮ（Ｗｉｒｅｌｅｓｓ  Ｌｏｃａｌ  Ａｃｃｅｓｓ  Ｎｅｔｗｏｒｋ、ＷＬＡＮ）は、ラジオ周波数技術に基づいて個人携帯用情報端末機（Ｐｅｒｓｏｎａｌ  Ｄｉｇｉｔａｌ  Ａｓｓｉｓｔａｎｔ、ＰＤＡ）、ラップトップコンピュータ（Ｌａｐｔｏｐ  Ｃｏｍｐｕｔｅｒ）、携帯型マルチメディアプレーヤ（Ｐｏｒｔａｂｌｅ  Ｍｕｌｔｉｍｅｄｉａ  Ｐｌａｙｅｒ、ＰＭＰ）などのような携帯型端末機を用いて家庭や企業または航空機などのような特定サービス提供地域で無線でインターネットに接続できるようにする技術である。
【０００３】
無線ＬＡＮの増加された活用に応じて、現在、ラップトップコンピュータ使用者のような携帯端末使用者は、増加された移動性によって作業をすることができる。例えば、使用者は、データを受信するために自分のローカルネットワークに接続した状態でラップトップコンピュータを自分の机から会議に参加するために会議室に持っていくことができ、有線接続に拘らずローカルネットワーク上のモデムやゲートウェイを介してインターネットに接続することができる。同様に、業務出張者もイメールを受信または送信したり、イメールを確認するために彼らのイメールアカウントに接続するように携帯端末を使用することができる。
【０００４】
初期の無線ＬＡＮ技術は、ＩＥＥＥ８０２．１１を介して２．４ＧＨｚ周波数を使用して周波数ホッピング、帯域拡散、赤外線通信などによって１〜２Ｍｂｐｓの速度を支援した。最近、無線通信技術の発展によって直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭ）技術などを無線ＬＡＮに適用して最大５４Ｍｂｐｓの速度が支援できるようにしている。その他、ＩＥＥＥ８０２．１１ではサービス品質（Ｑｕａｌｉｔｙ  ｏｆ  Ｓｅｒｖｉｃｅ、Ｑｏｓ）の向上、アクセスポイント（Ａｃｃｅｓｓ  ｐｏｉｎｔ、ＡＰ）プロトコル互換、保安強化（Ｓｅｃｕｒｉｔｙ  Ｅｎｈａｎｃｅｍｅｎｔ）、ラジオ測定またはラジオ資源測定（Ｒａｄｉｏ  Ｒｅｓｏｕｒｃｅ  Ｍｅａｓｕｒｅｍｅｎｔ）、車両環境のための無線接続（Ｗｉｒｅｌｅｓｓ  Ａｃｃｅｓｓ  ｉｎ  Ｖｅｈｉｃｕｌａｒ  Ｅｎｖｉｒｏｎｍｅｎｔ）、迅速ローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒ−ｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）などのための無線通信技術を開発して実用化し、現在も開発中である。
【０００５】
ラジオ資源測定手順において、ＳＴＡは、ラジオリンク性能（Ｒａｄｉｏ  Ｌｉｎｋ  Ｐｅｒｆｏｒｍａｎｃｅ）及びラジオ環境を観察したり及び／または他のＳＴＡが測定したデータを収集する。ラジオ資源測定は、ラジオ環境（Ｒａｄｉｏ  Ｅｎｖｉｒｏｎｍｅｎｔ）を理解するために遂行される。例えば、ＳＴＡは、ラジオ環境を局部的に測定することもでき、または、他のＳＴＡに一つ以上の要素に対して測定を要請することもできる。ＳＴＡは、第３のＳＴＡから一つ以上の要素に対する測定要請を受けて測定結果を知らせてくれることもできる。このような過程を介して獲得されたラジオ測定データは、ＳＴＡ管理に用いられて、また、多様なアプリケーションのために上位プロトコル階層に提供されることもできる。
【０００６】
このような無線ネットワークにおけるラジオ資源測定は、多様な手段を用いることができる。例えば、ラジオ資源測定のためにビーコンフレーム（Ｂｅａｃｏｎ  Ｆｒａｍｅ）や所定フォーマットの測定パイロット（Ｍｅａｓｕｒｅｍｅｎｔ  Ｐｉｌｏｔ）を使用することもできて、チャネル負荷（Ｃｈａｎｎｅｌ  Ｌｏａｄ）やノイズヒストグラム（Ｎｏｉｓｅ  Ｈｉｓｔｏｇｒａｍ）などを求める方法を用いることもできる。ラジオ資源測定のための方法として、ＳＴＡにおける統計情報を用いることができる。前記統計情報には、ＳＴＡに備えられた多様なカウンタ（Ｃｏｕｎｔｅｒｓ）に記録された値や基本サービスセット（Ｂａｓｉｃ  Ｓｅｒｖｉｃｅ  Ｓｅｔ、ＢＳＳ）平均接続遅延時間が含まれることができる。
【発明の概要】
【発明が解決しようとする課題】
【０００７】
一般的にＳＴＡには多様な種類の統計情報（以下、‘ＳＴＡ統計要素（ＳＴＡ  ｓｔａｔｉｓｔｉｃａｌ  ｅｌｅｍｅｎｔ）’という）に対する累積値を計算するための複数のカウンタが備えられる。ＳＴＡのカウンタで測定されるＳＴＡ統計要素として、例えば、伝送されたフラグメントカウント（Ｔｒａｎｓｍｉｔｔｅｄ  Ｆｒａｇｍｅｎｔ  Ｃｏｕｎｔｓ）、マルチキャスト伝送フレームカウント（Ｍｕｌｔｉｃａｓｔ  Ｔｒａｎｓｍｉｔｔｅｄ  Ｆｒａｍｅ  Ｃｏｕｎｔｓ）、失敗カウント（Ｆａｉｌｅｄ  ｃｏｕｎｔｓ）、リトライカウント（Ｒｅｔｒｙ  Ｃｏｕｎｔ）、多重リトライカウント（Ｍｕｌｔｉｐｌｅ  ｒｅｔｒｙ  Ｃｏｕｎｔ）、フレーム複製カウント（Ｆｒａｍｅ  ｄｕｐｌｉｃａｔｅ  Ｃｏｕｎｔ）、承認失敗カウント（Ａｃｋｎｏｗｌｅｄｇｅｍｅｎｔ  Ｆａｉｌｕｒｅ  Ｃｏｕｎｔ）、ＲＴＳ（Ｒｅｑｕｅｓｔ  Ｔｏ  Ｓｅｎｄ）成功カウント（ＲＴＳ  Ｓｕｃｃｅｓｓ  Ｃｏｕｎｔ）、ＲＴＳ失敗カウント（ＲＴＳ  Ｆａｉｌｕｒｅ  Ｃｏｕｎｔ）、廃棄フレームカウント（Ｄｉｓｃａｒｄｅｄ  Ｆｒａｍｅ  Ｃｏｕｎｔ）、及び伝送フレームカウント（Ｔｒａｎｓｍｉｔｔｅｄ  Ｆｒａｍｅ  Ｃｏｕｎｔ）などが含まれる。そして、前記ＳＴＡ統計要素には保安ネットワーク連結設定カウント（Ｒｏｂｕｓｔ  Ｓｅｃｕｒｉｔｙ  Ｎｅｔｗｏｒｋ  Ａｓｓｏｃｉａｔｉｏｎ（ＲＳＮＡ）  Ｃｏｕｎｔ）も含まれることができる、以下、ＲＳＮＡカウントを測定するＳＴＡカウンタだけを別途に言及する時はこれをＲＳＮＡカウンタと称する。
【０００８】
無線通信標準では相当多くの種類のＳＴＡ統計要素に対して規定している。このようなＳＴＡ統計要素のうち一部は該当ＳＴＡでサービス品質（Ｑｕａｌｉｔｙ  ｏｆ  Ｓｅｒｖｉｃｅ、ＱｏＳ）を支援する場合とそうでない場合とに区分して管理されているため、ＳＴＡ統計要素の種類は前記で羅列したものより多く存在することができる。従って、このような多くのＳＴＡ統計要素に対する情報の交換のためには一層正確、且つ効率的な無線資源測定手順及びこのための装置が要求される。
【０００９】
本発明が解決しようとする一つの技術的課題は、無線通信システムにおいて多くの種類のＳＴＡ統計要素に対する情報の交換が行われることができるようにして効率的な無線ネットワークの管理が可能なＳＴＡ統計と関連するラジオ測定手順及びこれを支援する装置を提供することである。
【００１０】
本発明が解決しようとする他の技術的課題は、無線通信システムにおいて一つまたはその以上のＳＴＡ統計要素に対して特定の条件に到達した場合にのみ情報の交換が行われることができるようにするトリガ（ｔｒｉｇｇｅｒｅｄ）ＳＴＡ統計要請／リポートと関連するラジオ測定手順及びこれを支援する装置を提供することである。
【００１１】
本発明が解決しようとする他の技術的課題は、このようなトリガＳＴＡ統計要請／リポートと関連するラジオ測定手順を遂行するためのメッセージの構成方法を提供することである。
【課題を解決するための手段】
【００１２】
本発明の一態様によると、無線通信ネットワークにおけるステーション統計測定のためのラジオ測定手順が提供される。前記ラジオ測定手順は、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信することを含む。
【００１３】
本発明の他の態様によると、無線通信ネットワークにおけるステーション統計測定のためのラジオ測定手順が提供される。前記ラジオ測定手順は、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを要請ステーションから受信して、前記要請されたＱｏＳステーション統計を測定して、及び前記トリガステーション統計測定要請メッセージのＱｏＳステーションカウンタに対するトリガリポーティングフィールドで特定されたトリガ条件である時、ＱｏＳステーション統計測定リポートメッセージを前記要請ステーションに伝送することを含む。
【００１４】
本発明の他の態様によると、無線通信ネットワークにおけるステーション統計測定のためのラジオ測定手順を支援するステーションが提供される。前記ステーションは、フレームを生成して処理するプロセッサ；及び前記プロセッサと連結されて、前記プロセッサのためのフレームを伝送して受信する送受信機を含み、前記送受信機は、前記プロセッサによって生成されて、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信する。
【００１５】
本発明の他の態様によると、無線通信ネットワークにおけるステーション統計測定手順のための測定要請要素を含むトリガリポーティングフィールドのフォーマットが提供される。前記トリガリポーティングフィールドは、トリガステーション統計リポーティングが要請される時、リポートトリガを特定するビットフィールドであるＱｏＳステーションカウンタトリガ条件サブフィールド；及び前記対応するリポートトリガに対するＱｏＳ閾値として使われるＭＳＤＵの個数を示す値を特定する一つまたはその以上のＱｏＳ閾値サブフィールドを含み、及び各ＱｏＳ閾値サブフィールドは、前記ＱｏＳステーションカウンタトリガ条件サブフィールドにおいて、対応するビットフィールドが‘１’に設定される時に存在する。
【発明の効果】
【００１６】
本発明によると、無線通信システムにおいて多くの種類のＳＴＡ統計要素に関する情報が円滑に交換されることができるようにする。特に、本発明の態様によると、ＳＴＡ統計要請フレームで指示されるグループ識別情報に基づいてＳＴＡ統計要素を定義することによって無線ネットワークを效率的に管理することができる。
【００１７】
本発明の態様によると、ＳＴＡ統計要素は、フレームが生成される時のプロトコルに応じて特定されるため、フレームを效率的に生成して処理することができる。
【図面の簡単な説明】
【００１８】
【図１】無線ＬＡＮシステムの例として、インフラストラクチャ基本サービスセットの構成を示すブロック図である。
【図２】無線ＬＡＮシステムの例として、独立基本サービスセットの構成を示すブロック図である。
【図３】本発明の実施例に係る無線通信システムにおける無線ネットワークの管理手順を示すフローチャートである。
【図４】本発明の実施例に係るトリガＳＴＡ統計のためのラジオ測定手順を示すメッセージのフローチャートである。
【図５】本発明の実施例に係るトリガラジオ測定要請フレームのフォーマットの例を示す図面である。
【図６】図５のトリガラジオ測定要請フレームがＳＴＡカウンタと関連のある場合のトリガリポーティングサブフィールドのフォーマットの例を示す図面である。
【図７】図６のＳＴＡカウンタトリガ条件サブフィールドのフォーマットの例を示す図面である。
【図８】図５のトリガラジオ測定要請フレームがＱｏＳ  ＳＴＡカウンタと関連のある場合のトリガリポーティングサブフィールドのフォーマットの例を示す図面である。
【図９】図８のＱｏＳ  ＳＴＡカウンタトリガ条件フィールドのフォーマットの例を示す図面である。
【図１０】図５のトリガラジオ測定要請フレームがＲＳＮＡカウンタと関連のある場合のトリガリポーティングサブフィールドのフォーマットの他の例を示す図面である。
【図１１】図１０のＲＳＮＡカウンタトリガ条件フィールドのフォーマットの例を示す図面である。
【図１２】図４の段階Ｓ４３において被要請ＳＴＡによって伝送されるトリガＳＴＡ統計リポートフレームのフォーマットの例を示す図面である。
【図１３】図１２のリポーティング理由ユニットのフォーマットの例を示す図面である。
【図１４】図１２のリポーティング理由ユニットのフォーマットの他の例を示す図面である。
【図１５】図１２のリポーティング理由ユニットのフォーマットの他の例を示す図面である。
【発明を実施するための形態】
【００１９】
以下、添付図面を参照して本発明の実施例に係る無線通信システムにおける管理手順及びこれを支援する装置に対して詳細に説明する。以下の実施例では無線通信システムのうち無線ＬＡＮ（ＷＬＡＮ）システムを例えて説明するが、これは単に例示に過ぎない。従って、後述する本発明の実施例は、その性質上許容されない場合を除いて無線ＬＡＮシステム以外の他の無線通信システムでも同一に適用されることができる。この場合、後述する本発明の実施例で使われる無線ＬＡＮシステムに固有な用語や単語は該当無線通信システムから慣用的へ使われる他の用語や単語に適切に変形可能である。
【００２０】
図１及び図２は、各々本発明の実施例が適用されることができる無線ＬＡＮシステムの一例に対する構成を簡略に示したものである。
【００２１】
図１及び図２を参照すると、無線ＬＡＮシステムは、一つまたはその以上の基本サービスセット（Ｂａｓｉｃ  Ｓｅｒｖｉｃｅ  Ｓｅｔ、ＢＳＳ）を含む。ＢＳＳは、成功的に同期化してお互いに通信できるステーション（Ｓｔａｔｉｏｎ、ＳＴＡ）の集合であり、特定領域を示す概念ではない。ＢＳＳは、インフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）とに区分でき、前者は図１に示されており、後者は図２に示されている。インフラストラクチャＢＳＳ（ＢＳＳ１、ＢＳＳ２）は、一つまたはその以上のＳＴＡ（ＳＴＡ１、ＳＴＡ３、ＳＴＡ４）、分配サービス（Ｄｉｓｔｒｉｂｕｔｉｏｎ  Ｓｅｒｖｉｃｅ）を提供するＳＴＡであるアクセスポイント（Ａｃｃｅｓｓ  Ｐｏｉｎｔ、ＡＰ）、及び複数のＡＰ（ＡＰ１、ＡＰ２）を連結させる分配システム（Ｄｉｓｔｒｉｂｕｔｉｏｎ  Ｓｙｓｔｅｍ、ＤＳ）を含む。反面、ＩＢＳＳは、ＡＰを含まないため、全てのＳＴＡが移動ステーション（ＳＴＡ６、ＳＴＡ７、ＳＴＡ８））からなっており、ＤＳへの接続が許容されなくて自己完備的ネットワーク（ｓｅｌｆ−ｃｏｎｔａｉｎｅｄ  ｎｅｔｗｏｒｋ）をなす。
【００２２】
ＳＴＡは、ＩＥＥＥ８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースとを含む任意の機能媒体であって、広義では、ＡＰ及びｎｏｎ−ＡＰステーションの両方とも含む。この中から使用者の操作する携帯用端末は、ｎｏｎ−ＡＰ  ＳＴＡ（ＳＴＡ１、ＳＴＡ３、ＳＴＡ４、ＳＴＡ６、ＳＴＡ７、ＳＴＡ８）であって、単純にＳＴＡという時はｎｏｎ−ＡＰ  ＳＴＡを意味する。Ｎｏｎ−ＡＰ  ＳＴＡは、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、使用者装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、または移動サブスクライバユニット（Ｍｏｂｉｌｅ  Ｓｕｂｓｃｒｉｂｅｒ  Ｕｎｉｔ）などの他の名称で呼ばれることもできる。
【００２３】
そして、ＡＰ（ＡＰ１、ＡＰ２）は、自分に結合されたＳＴＡ（Ａｓｓｏｃｉａｔｅｄ  Ｓｔａｔｉｏｎ）のために無線媒体を経由してＤＳに対する接続を提供する機能個体である。ＡＰを含むインフラストラクチャＢＳＳにおいてｎｏｎ−ＡＰ  ＳＴＡ間の通信はＡＰを経由して行われることが原則であるが、ダイレクトリンクが設定された場合にはｎｏｎ−ＡＰ  ＳＴＡ間でも直接通信が可能である。ＡＰは、アクセスポイントという名称の以外に集中制御器、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などで呼ばれることもできる。
【００２４】
複数のインフラストラクチャＢＳＳは、分配システム（Ｄｉｓｔｒｉｂｕｔｉｏｎ  Ｓｙｓｔｅｍ、ＤＳ）を介して相互連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡはお互いに通信できて、同じＥＳＳ内で非ＡＰ  ＳＴＡは切れることなく通信しながら一つのＢＳＳから他のＢＳＳに移動することができる。
【００２５】
ＤＳは、一つのＡＰが他のＡＰと通信するためのメカニズムであって、これによるとＡＰは、自分の管理するＢＳＳに結合されているＳＴＡのためにフレームを伝送したり、またはいずれか一つのＳＴＡが他のＢＳＳに移動した場合にフレームを伝達したり有線ネットワークなどのような外部ネットワークとフレームを伝達することができる。このようなＤＳは、必ずネットワークである必要はなく、ＩＥＥＥ８０２．１１に規定された所定の分配サービスが提供可能であれば、その形態に対しては何らの制限がない。例えば、ＤＳは、メッシュネットワークのような無線ネットワークであってもよく、またはＡＰをお互いに連結させる物理的な構造物であってもよい。
【００２６】
図３は、本発明の一実施例に応じて図１または図２に示されているように、無線ＬＡＮシステム、またはこれを含んだり、これと実質的に均等な無線通信システムにおける無線ネットワークの管理手順を示すフローチャートである。図３に示されている第１のＳＴＡ（２）と第２のＳＴＡ（４）との間における動作手順は、インフラストラクチャＢＳＳを構成するｎｏｎ−ＡＰ  ＳＴＡとＡＰとの間に進行される手順であるが、本実施例がここに限定されることではない。例えば、ＩＢＳＳを構成するｎｏｎ−ＡＰ  ＳＴＡ間における動作やメッシュネットワークシステムを構成するメッシュポイント（Ｍｅｓｈ  Ｐｏｉｎｔ、ＭＰ）間の動作、または他の無線通信システムを構成する端末または端末と基地局との間の動作においても、後述する本発明の実施例は、その本質上適用が不可能なことを除いては同一または均等な方式に適用されることができる。
【００２７】
図３を参照すると、本発明の実施例に係る無線通信システムにおけるラジオ測定手順は、その予備過程としてスキャン手順（Ｓｃａｎｎｉｎｇ  Ｐｒｏｃｅｄｕｒｅ、Ｓ１０）、認証手順（Ａｕｔｈｅｎｔｉｃａｔｉｏｎ  Ｐｒｏｃｅｄｕｒｅ、Ｓ２０）、及び／または結合手順（Ａｓｓｏｃｉａｔｉｏｎ  Ｐｒｏｃｅｄｕｒｅ、Ｓ３０）を含み、前記予備過程（Ｓ１０乃至Ｓ３０）以後に遂行される無線測定手順（Ｒａｄｉｏ  Ｍｅａｓｕｒｅｍｅｎｔ  Ｐｒｏｃｅｄｕｒｅ、Ｓ４０）をさらに含む。本発明の実施例の一側面によると、前記予備過程のうち少なくとも一部手順は必須な手順でない任意的な手順である。
【００２８】
図３を参照すると、第１のＳＴＡ（２）と第２のＳＴＡ（４）との間にはスキャン手順（Ｓ１０）がまず遂行される。スキャン手順（Ｓ１０）は、第１のＳＴＡ（２）が結合手順（Ｓ３０）で結合する対象となる候補ステーションを探す過程であって、例えば、インフラストラクチャＢＳＳでｎｏｎ−ＡＰ  ＳＴＡがＡＰを探す過程である。然しながら、一層広い意味の探索手順（Ｓ１０）は、ＩＢＳＳにおいてｎｏｎ−ＡＰ  ＳＴＡが隣りのｎｏｎ−ＡＰ  ＳＴＡを探す過程や、メッシュネットワークにおいて隣りのＭＰを探す過程も含む。
【００２９】
このようなスキャン手順は、二つの類型がある。一番目の方法は、受動スキャン（Ｐａｓｓｉｖｅ  Ｓｃａｎ）方法であって、第２のＳＴＡ（４）などから伝送されるビーコンフレーム（Ｂｅａｃｏｎ  Ｆｒａｍｅ）を用いる方法である。これによると、無線ＬＡＮに接続しようとする第１のＳＴＡ（２）は、該当ＢＳＳ（またはＩＢＳＳ）を管理するＡＰである第２のＳＴＡ（４）などから周期的に伝送されるビーコンフレームを受信して、接続可能なＢＳＳをさがすことができる。このような受動スキャン方法は、第２のＳＴＡ（４）がビーコンフレームを伝送するＡＰの場合に適用されることができる。
【００３０】
二番目の方法は、能動スキャン（Ａｃｔｉｖｅ  Ｓｃａｎ）方法である。これによると、無線ＬＡＮシステムに接続しようとする第１のＳＴＡ（２）がまずプローブ要請フレーム（Ｐｒｏｂｅ  Ｒｅｑｕｅｓｔ  Ｆｒａｍｅ）を伝送する。そして、前記プローブ要請フレームを受信した第２のＳＴＡ（４）、例えば、ＡＰは、自分の管理するＢＳＳのＳＳＩＤ（Ｓｅｒｖｉｃｅ  Ｓｅｔ  ＩＤ）と、自分の支援する能力値（Ｃａｐａｂｉｌｉｔｙ）などの情報と、が含まれたプローブ応答フレーム（Ｐｒｏｂｅ  Ｒｅｓｐｏｎｓｅ  Ｆｒａｍｅ）を第１のＳＴＡ（２）に伝送する。従って、第１のＳＴＡ（２）は、受信されたプローブ応答フレームを介して候補ＡＰの存在と共に前記候補ＡＰに関する多様な情報が分かる。
【００３１】
スキャン手順（Ｓ１０）において、プローブ要請フレームを伝送する第１のＳＴＡ（２）、またはビーコンフレームやプローブ応答フレームを伝送する第２のＳＴＡ（４）がラジオ資源測定手順を支援する装置である場合、その事実を他のＳＴＡに知らせることができる。このために、前記ビーコンフレームやプローブ要請フレーム、またはプローブ応答フレームなどの能力値情報フィールド（Ｃａｐａｂｉｌｉｔｙ  Ｉｎｆｏｒｍａｔｉｏｎ  ｆｉｅｌｄ）にはラジオ測定サブフィールド（Ｒａｄｉｏ  Ｍｅａｓｕｒｅｍｅｎｔ  ｓｕｂｆｉｅｌｄ）が設定されて含まれることができる。
【００３２】
また、図３を参照すると、第１のＳＴＡ（２）と第２のＳＴＡ（４）との間に認証手順（Ｓ２０）が遂行される。認証手順（Ｓ２０）は、無線通信に参加する個体間に認証手順及びエンコーディング方式を交渉する過程である。例えば、第１のＳＴＡ（２）がスキャン手順（Ｓ１０）でさがした一つ以上のＡＰのうち結合しようとする第２のＳＴＡ、例えば、ＡＰと認証手順（Ｓ２０）を遂行することができる。ＷＬＡＮではほとんどの場合にオープンシステム（Ｏｐｅｎ  Ｓｙｓｔｅｍ）認証方式を使用するため、ＡＰである第２のＳＴＡ（４）は、第１のＳＴＡ（２）からの認証要請に対して何らの条件無く認証過程を遂行する。さらに強化された認証方式には、ＩＥＥＥ８０２．１ｘ基盤ＥＡＰ−ＴＬＳ（Ｅｘｔｅｎｓｉｂｌｅ  Ａｕｔｈｅｎｔｉｃａｔｉｏｎ  Ｐｒｏｔｏｃｏｌ−Ｔｒａｎｓｐｏｒｔ  Ｌａｙｅｒ  Ｓｅｃｕｒｉｔｙ）、ＥＡＰ−ＴＴＬＳ（Ｅｘｔｅｎｓｉｂｌｅ  Ａｕｔｈｅｎｔｉｃａｔｉｏｎ  Ｐｒｏｔｏｃｏｌ−Ｔｕｎｎｅｌｅｄ  Ｔｒａｎｓｐｏｒｔ  Ｌａｙｅｒ  Ｓｅｃｕｒｉｔｙ）、ＥＡＰ−ＦＡＳＴ（Ｅｘｔｅｎｓｉｂｌｅ  Ａｕｔｈｅｎｔｉｃａｔｉｏｎ  Ｐｒｏｔｏｃｏｌ−Ｆｌｅｘｉｂｌｅ  Ａｕｔｈｅｎｔｉｃａｔｉｏｎ  ｖｉａ  Ｓｅｃｕｒｅ  Ｔｕｎｎｅｌｉｎｇ）、ＰＥＡＰ（Ｐｒｏｔｅｃｔｅｄ  Ｅｘｔｅｎｓｉｂｌｅ  Ａｕｔｈｅｎｔｉｃａｔｉｏｎ  Ｐｒｏｔｏｃｏｌ）などがある。
【００３３】
認証手順（Ｓ２０）で成功的に認証を完了したとき、第１のＳＴＡ（２）は結合手順を遂行する（Ｓ３０）。結合手順（Ｓ３０）は、第１のＳＴＡ（２）がｎｏｎ−ＡＰ  ＳＴＡであり、第２のＳＴＡ（４）がＡＰである場合に遂行される任意の手順である。結合手順（Ｓ３０）は、第１のＳＴＡ（２）と第２のＳＴＡ（４）との間の識別可能なリンク、即ち、無線リンクを設定することである。結合手順（Ｓ３０）のために、第１のＳＴＡ（２）は、認証手順（Ｓ２０）を成功的に完了した第２のＳＴＡ（４）に結合要請フレーム（Ａｓｓｏｃｉａｔｉｏｎ  Ｒｅｑｕｅｓｔ  Ｆｒａｍｅ）を伝送して、第２のＳＴＡ（４）はこれに対する応答として  ‘成功（Ｓｕｃｃｅｓｓｆｕｌ）’という状態値を有する結合応答フレーム（Ａｓｓｏｃｉａｔｉｏｎ  Ｒｅｓｐｏｎｓｅ  Ｆｒａｍｅ）を第１のＳＴＡ（２）に伝送する。前記結合応答フレームには第１のＳＴＡ（２）との結合を識別することができる識別子、例えば、結合ＩＤ（Ａｓｓｏｃｉａｔｉｏｎ  ＩＤ、ＡＩＤ）が含まれる。
【００３４】
結合手順（Ｓ３０）が成功的に完了したとき、可変的なチャネル状況によって第１のＳＴＡ（２）とＡＰである第２のＳＴＡ（４）との連結状態が悪くなる場合、第１のＳＴＡ（２）は接続可能な他のＡＰと再び結合過程を遂行することができ、これを再結合手順（Ｒｅ−ａｓｓｏｃｉａｔｉｏｎ  Ｐｒｏｃｅｄｕｒｅ）という。このような再結合手順は前述した結合手順（Ｓ３０）と相当類似する。より具体的に、再結合手順において、第１のＳＴＡ（２）は、現在結合されているＡＰでない他のＡＰ（前述したスキャン過程（Ｓ１０）でさがした候補ＡＰのうち認証手順（Ｓ２０）を成功的に完了したＡＰ）に再結合要請フレームを伝送して、前記他のＡＰは、再結合応答フレームを第１のＳＴＡ（２）に伝送する。ただし、再結合要請フレームには以前に結合したＡＰに関する情報がさらに含まれて、この情報を介して再結合ＡＰは既存ＡＰである第２のＳＴＡ（４）にバッファーリングされているデータを第１のＳＴＡ（２）に伝達することができる。
【００３５】
本実施例によると、結合手順（Ｓ３０）または再結合手順のために第１のＳＴＡ（２）が第２のＳＴＡ（４）に伝送する結合要請フレームまたは再結合要請フレームは、第１のＳＴＡ（２）の位置能力値（ｌｏｃａｔｉｏｎ  ｃａｐａｂｉｌｉｔｙ）を含まってもよい。従って、位置能力値を支援する第１のＳＴＡ（２）は、位置ディスクリプタサブ要素（ｌｏｃａｔｉｏｎ  ｄｅｓｃｒｉｐｔｏｒ  ｓｕｂ−ｅｌｅｍｅｎｔ）が位置パラメータ情報要素に含まれた結合要請フレームまたは再結合要請フレームを伝送することができる。
【００３６】
図３を参照すると、認証手順（Ｓ２０）を完了したり、またはこれに追加して結合手順（Ｓ３０）を完了した第１のＳＴＡ（２）と第２のＳＴＡ（４）との間にラジオ測定手順（Ｒａｄｉｏ  Ｍｅａｓｕｒｅｍｅｎｔ  Ｐｒｏｃｅｄｕｒｅｓ）が進行される（Ｓ４０）。図３には、インフラストラクチャＢＳＳにおいて、結合手順（Ｓ３０）を完了した第１のＳＴＡ（２）と第２のＳＴＡ（４）との間でラジオ測定手順が進行されると示されているが、後述する本発明の実施例に係るラジオ測定手順（Ｓ４０）はこれに限定されることではない。例えば、本発明の実施例に係るラジオ測定手順は、図３のようなｎｏｎ−ＡＰ  ＳＴＡとＡＰとの間は、もちろん、ダイレクトリンクを設定している二つのピアｎｏｎ−ＡＰ  ＳＴＡ間、またはメッシュリンクを設定している二つのピアＭＰ間にも進行されてもよい。ただし、ラジオ測定手順がｎｏｎ−ＡＰ  ＳＴＡ間で進行される場合には、前記ラジオ測定手順はダイレクトリンクを設定しているｎｏｎ−ＡＰ  ＳＴＡ間で遂行されることができる。
【００３７】
以下、本発明の一実施例に係るラジオ測定手順で適用されることができるプロトコルに対して詳細に説明する。ラジオ測定手順のためのプロトコルは図３の段階Ｓ４０におけるラジオ資源測定手順やまたは前記段階Ｓ４０の一実施例で図４を参照して説明するトリガＳＴＡ統計要請に関するラジオ測定手順にそのまま適用されることができる。
【００３８】
無線ネットワークシステムにおいて、ＳＴＡは、自らが一つまたはその以上のチャネルに対してラジオ測定を遂行したり、または同じＢＳＳまたはＩＢＳＳに属する一つ以上の他のＳＴＡに、自分に代わってラジオ測定を遂行することを要請することができる。他のＳＴＡに一つまたはその以上のチャネルに対して測定を要請する場合、要請ＳＴＡは、一つまたはその以上の測定要請要素（Ｍｅａｓｕｒｅｍｅｎｔ  Ｒｅｑｕｅｓｔ  Ｅｌｅｍｅｎｔｓ）を含んでいるラジオ測定要請フレーム（Ｒａｄｉｏ  Ｍｅａｓｕｒｅｍｅｎｔ  Ｒｅｑｕｅｓｔ  ｆｒａｍｅ）を被要請ＳＴＡに伝送する。このようなラジオ測定要請フレームは、個別住所またはグループ目的地住所（Ｇｒｏｕｐ  Ｄｅｓｔｉｎａｔｉｏｎ  Ａｄｄｒｅｓｓ）に被要請ＳＴＡに伝送されることができる。
【００３９】
ラジオ資源測定手順において、要請ＳＴＡ及び被要請ＳＴＡは、同じインフラストラクチャＢＳＳまたはＩＢＳＳのメンバーである。個別的な受信アドレスを有するラジオ測定要請フレームは、以前の手順（図３の結合手順（Ｓ３０）等）でラジオ測定能力値を設定したＳＴＡにのみ伝送される。一つのラジオ測定要請フレームに含まれる測定要請要素は、複数のチャネルにわたって複数の測定類型を特定することができる。
【００４０】
異なるＳＴＡに動作チャネル（Ｏｐｅｒａｔｉｎｇ  Ｃｈａｎｎｅｌ）に対する測定を遂行してくれとのラジオ測定要請を伝送したＳＴＡは、要請された測定の遂行中にも前記異なるＳＴＡにＭＰＤＵ及びＭＭＰＤＵを伝送し続けることができる。また、異なるＳＴＡに非動作チャネル（Ｎｏｎ−ｏｐｅｒａｔｉｎｇ  Ｃｈａｎｎｅｌ）に対する測定を遂行してくれとのラジオ測定要請を伝送したＳＴＡは、前記異なるＳＴＡへのトラフィックが進行されるようにいかなる特別な行動を取る必要はない。
【００４１】
ラジオ測定要請要素によって要請された測定結果は、前記要請に対応する類型の一つまたはその以上の測定リポート要素に含まれて報告される。応答として伝送される各測定リポート要素は、対応する測定要請要素に含まれているものと同じ測定トークンを有する。測定結果は、不当に遅れることがなく要請ＳＴＡに伝送されなければならない。このような測定リポート要素は、一つまたはその以上のラジオ測定リポートフレームに含まれて要請ＳＴＡに伝送される。各ラジオ測定リポートフレームは、対応するラジオ測定要請フレームにあるものと同じダイアローグトークンを有する。
【００４２】
本発明の実施例に係る無線通信システムにおけるラジオ測定手順によると、要請しようとするラジオ測定類型がＳＴＡ統計要請、またはＱｏＳ  ＳＴＡ統計要請、またはＲＳＮＡ統計要請である場合には、トリガ条件（ｔｒｉｇｇｅｒｉｎｇ  ｃｏｎｄｉｔｉｏｎ）とトリガされたＳＴＡに統計測定に対する閾値を特定するトリガＳＴＡ統計要請が可能である。即ち、本発明の実施例によると、ＳＴＡ統計要請、ＱｏＳ  ＳＴＡ統計要請、或いはＲＳＮＡ統計要請に対してトリガＳＴＡ統計要請を許容することによって、該当ラジオ測定情報の獲得による無線通信システムの負担を緩和することができる。なぜならば、本発明の実施例によると、ＳＴＡ統計要請だけでなく、ＱｏＳ  ＳＴＡ統計要請及びＲＳＮＡ統計要請に対してもトリガ統計要請を許容することによって、要請ＳＴＡの必要時ごとにラジオ測定要請フレームを伝送しなければならない要請ＳＴＡの負担を緩和することができ、無線ネットワークシステムでも不必要なシグナリングを減少して無線資源の利用効率を上げることができるためである。
【００４３】
このような場合、要請ステーションは、所定の情報、例えば、イネイブルビット（Ｅｎａｂｌｅ  ｂｉｔ）及びリポートビット（Ｒｅｐｏｒｔ  ｂｉｔ）が‘１’に設定された測定要請要素を含むラジオ測定要請フレームのような予め指定された情報を被要請ステーションに伝送することによって、トリガされた自動リポート（Ｔｒｉｇｇｅｒｅｄ  Ａｕｔｏｎｏｍｏｕｓ  Ｒｅｐｏｒｔ）を受けたいということを指示することができる。トリガされた自動リポートに含まれることを希望する測定類型は、測定要請要素の測定類型フィールドによって指示される。トリガされた自動リポートの制御に使われるトリガ条件は、ラジオ測定要請フレームに含まれて伝送される。測定の要請に使われる測定要請要素は、同じラジオ測定要請フレームに含まれてもよい。ラジオ測定要請フレームは、一つ以上のＳＴＡによってトリガされた自動リポートが可能になるようにグループ目的地アドレスに伝送されてもよい。被要請ＳＴＡは、要請されたトリガ条件がみたされない場合には自動リポートを伝送しない。
【００４４】
他のＳＴＡによってトリガされた自動リポートを要請するラジオ測定要請フレームを受信した被要請ＳＴＡは、適した類型のリポートを前記要請をしたＳＴＡの個別住所に伝送する。即ち、トリガＳＴＡ統計手順では適した要請をしたＳＴＡの個別住所にのみ、そして特定された条件がみたされた場合、被要請ＳＴＡは、自動リポートフレームを要請ＳＴＡに伝送する。
【００４５】
多様な測定類型に対するトリガＳＴＡ統計要請を受信した被要請ＳＴＡであるｎｏｎ−ＡＰ  ＳＴＡは、要請された複数の測定類型に対する複数のトリガされた測定を同時に遂行することができる。この場合、各々のトリガされた測定は論理的には独立的である。トリガタイムアウト（ｔｒｉｇｇｅｒｅｄ  Ｔｉｍｅｏｕｔ）期間などのようなリポーティング条件は、それが設定された測定要請にのみ適用される。
【００４６】
次に、本発明の実施例に係る前記無線ネットワークシステムにおけるトリガＳＴＡ統計と関連するラジオ測定手順に対して説明する。
【００４７】
図４は、本発明の一実施例に係るトリガＳＴＡ統計と関連するラジオ測定手順を示すメッセージのフローチャートである。本発明の実施例に係るラジオ測定手順は、報告ＳＴＡ（Ｒｅｐｏｒｔｉｎｇ  ＳＴＡ）または被要請ＳＴＡ（Ｒｅｑｕｅｓｔｅｄ  ＳＴＡ）によって所定の時間の間に収集されたＳＴＡ統計に対するリポーティングをする条件を要請ＳＴＡ（Ｒｅｑｕｅｓｔｉｎｇ  ＳＴＡ）が指示するトリガＳＴＡ統計と関連する手順である。ここで‘要請ＳＴＡ’とは、他のＳＴＡからＳＴＡ統計情報を獲得するためにＳＴＡ統計要請フレームを伝送するＳＴＡをいい、‘報告（ｒｅｐｏｒｔｉｎｇ）ＳＴＡ’、  ‘測定（ｍｅａｓｕｒｉｎｇ）ＳＴＡ’または‘被要請（ｒｅｑｕｅｓｔｅｄ）ＳＴＡ’は、前記ＳＴＡ統計要請フレームに対する応答として収集されたＳＴＡ統計情報が含まれたＳＴＡ統計リポートフレームを前記要請ＳＴＡに伝送するＳＴＡを意味する。
【００４８】
図４を参照すると、要請ＳＴＡ（例えば、図３の第１のＳＴＡ（２）が該当）は、条件付きＳＴＡ統計リポートを要請するためのメッセージ、例えば、トリガＳＴＡ統計要請メッセージ（Ｔｒｉｇｇｅｒｅｄ  ＳＴＡ  Ｓｔａｔｉｓｔｉｃｓ  Ｒｅｑｕｅｓｔ）をリポートＳＴＡまたは被要請ＳＴＡ（例えば、図３の第２のＳＴＡ（４）が該当）に伝送する（Ｓ４１）。‘条件付きＳＴＡ統計リポート’は、ラジオ測定と関連して関心のある特定統計が限定された閾値に到達した場合に伝送するＳＴＡ統計リポートを意味する。トリガＳＴＡ統計要請メッセージは、これを受信するＳＴＡが測定要請に対する応答としてリポートフレームを伝送する所定のトリガ条件（Ｔｒｉｇｇｅｒｅｄ  Ｃｏｎｄｉｔｉｏｎ）を特定するための情報が通常のＳＴＡ統計要請メッセージに追加されるフォーマットを有する。
【００４９】
他のＳＴＡにＳＴＡ統計リポートを要請するためのトリガＳＴＡ統計要請メッセージは、測定要請要素（Ｍｅａｓｕｒｅｍｅｎｔ  Ｒｅｑｕｅｓｔ  Ｅｌｅｍｅｎｔｓ）としてＳＴＡ統計要請要素が含まれるフレームであってもよい。この場合、トリガＳＴＡ統計要請メッセージは、トリガラジオ測定要請フレーム（Ｔｒｉｇｇｅｒｅｄ  Ｒａｄｉｏ  Ｍｅａｓｕｒｅｍｅｎｔ  Ｒｅｑｕｅｓｔ  Ｆｒａｍｅ）であってもよい。
【００５０】
本発明の実施例によると、トリガラジオ測定要請フレームは、これに含まれる測定要請要素であるＳＴＡ統計要請要素にトリガリポーティングサブフィールド（Ｔｒｉｇｇｅｒｅｄ  Ｒｅｐｏｒｔｉｎｇ  Ｓｕｂｆｉｅｌｄ）がさらに含まれるという点で、トリガリポーティングサブフィールドのないＳＴＡ統計要請要素を含む一般的なラジオ測定要請フレームと差がある。そして、本発明の実施例によると、前記トリガリポーティングサブフィールドで特定されるトリガ条件の統計グループは、ＳＴＡカウンタ（Ｃｏｕｎｔｅｒ）、ＱｏＳ  ＳＴＡカウンタ、及びＲＳＮＡカウンタに関するものであってもよい。従って、後述する本発明の実施例では前記トリガラジオ測定要請フレームは、各々トリガＳＴＡ統計要請フレーム、トリガＱｏＳ  ＳＴＡ統計要請フレーム、及びトリガＲＳＮＡ統計要請フレームであると呼ばれることもできるが、これは単に例示にすぎない。
【００５１】
図５には、本発明の実施例に係るトリガラジオ測定要請フレーム（１００）のフォーマットの一例を示すブロック図が示されている。図５を参照すると、トリガラジオ測定要請フレーム（１００）は、カテゴリ（Ｃａｔｅｇｏｒｙ）フィールド（１１０）、アクション（Ａｃｔｉｏｎ）フィールド（１２０）、ダイアローグトークン（Ｄｉａｌｏｇ  Ｔｏｋｅｎ）フィールド（１３０）、反復回数（Ｎｕｍｂｅｒ  ｏｆ  Ｒｅｐｅｔｉｔｉｏｎｓ）フィールド（１４０）、及び測定要請要素（Ｍｅａｓｕｒｅｍｅｎｔ  Ｒｅｑｕｅｓｔ  Ｅｌｅｍｅｎｔｓ）フィールド（１５０）を含む。トリガラジオ測定要請フレーム（１００）の測定類型はＳＴＡ統計要請であるため、測定要請要素フィールド（１５０）にはＳＴＡ統計要請要素が含まれる。また、前記ＳＴＡ統計要請要素の測定要請（Ｍｅａｓｕｒｅｍｅｎｔ  Ｒｅｑｕｅｓｔ）フィールド（１５６）にはトリガリポーティングサブフィールド（Ｔｒｉｇｇｅｒｅｄ  Ｒｅｐｏｒｔｉｎｇ  ｓｕｂｆｉｅｌｄ、１５６ｄ）が追加的に含まれる。以下、トリガラジオ測定要請フレーム（１００）に含まれる各要素に対して詳細に説明する。
【００５２】
カテゴリフィールド（１１０）は、ラジオ測定カテゴリを指示する値に設定されることができる。アクションフィールド（１２０）は、ラジオ測定アクションのうち測定要請を指示する値に設定されることができる。そして、ダイアローグトークンフィールド（１３０）は、要請ＳＴＡによって選択された０でない値に設定され、トリガラジオ測定要請フレーム（１００）とこれに対する応答として伝送されるラジオ測定リポートフレームの交換を識別するための特定値に設定されることができる。
【００５３】
反復回数フィールド（１４０）は、トリガラジオ測定要請フレーム（１００）の測定要請要素（１５０）に含まれている全ての測定要請要素に対する要請しようとする反復回数を指示する値に設定される。その値が‘０’である場合、該当測定要請要素に対しては反復無く１回のみ遂行されることを示す。反面、反復回数フィールド（１４０）の値が該当フィールド（１４０）に含まれることができる最大値（例えば、該当フィールド（１４０）のサイズが２バイトである場合には６５５３５）である場合、測定要請が取り消される、或いは切り替える時まで、該当測定要素は繰り返して遂行されることを示す。
【００５４】
測定要請要素フィールド（１５０）は、なにも含まなくてもよく、或いは一つまたはその以上の測定要請要素を含まってもよい。測定要請要素フィールド（１５０）は、要請ＳＴＡが被要請ＳＴＡから獲得しようとする統計要素に対する要請内容またはこれを受信するＳＴＡ（被要請ＳＴＡ）が着手する特定された測定アクションに対する要請内容を含んでいる。トリガラジオ測定要請フレーム（１００）に含まれることができる測定要請要素の数及び長さは、最大許容されるＭＭＰＤＵ（ＭＡＣ  Ｍａｎａｇｅｍｅｎｔ  Ｐｒｏｔｏｃｏｌ  Ｄａｔａ  Ｕｎｉｔ）の大きさによって制限されることができる。測定要請要素フィールド（１５０）は、要素ＩＤ（Ｅｌｅｍｅｎｔ  ＩＤ）サブフィールド（１５１）、長さ（Ｌｅｎｇｔｈ）サブフィールド（１５２）、測定トークン（Ｍｅａｓｕｒｅｍｅｎｔ  Ｔｏｋｅｎ）サブフィールド（１５３）、測定要請モード（Ｍｅａｓｕｒｅｍｅｎｔ  Ｒｅｑｕｅｓｔ  Ｍｏｄｅ）サブフィールド（１５４）、測定タイプ（Ｍｅａｓｕｒｅｍｅｎｔ  Ｔｙｐｅ）サブフィールド（１５５）、及び測定要請（Ｍｅａｓｕｒｅｍｅｎｔ  Ｒｅｑｕｅｓｔ）サブフィールド（１５６）を含む。
【００５５】
要素ＩＤサブフィールド（１５１）は、多様な情報要素のうち測定要請情報要素を指示する値に設定される。長さサブフィールド（１５２）に設定される値は可変的であり、その値は測定要請サブフィールド（１５６）の長さに依存する。測定トークンサブフィールド（１５３）は、特定のトリガラジオ測定要請フレーム（１００）に含まれて伝送された測定要請要素間で固有の値として０でない値に設定される。即ち、測定トークンサブフィールド（１５３）は、トリガラジオ測定要請フレーム（１００）に含まれる測定要請要素及び前記測定要請要素に対する応答としてラジオ測定リポートフレームに含まれる測定リポート要素の交換を識別するためのものである。
【００５６】
測定要請モードサブフィールド（１５４）は、ＳＴＡが測定要請及び自動リポート（Ａｕｔｏｎｏｍｏｕｓ  Ｒｅｐｏｒｔ）を活性化したり、または非活性化させる等の要請をどのように処理するかを示すためのものであって、例えば、一つ以上の測定を並列的に始めるかどうか、測定を要請するかどうか、または測定要請を制御するかどうか、該当測定要請に対するリポート類型などのように測定要請の類型を指示する情報を含む。トリガラジオ測定要請フレームも測定要請モードサブフィールド（１５４）に所定の値を設定することによって指示することができる。
【００５７】
測定タイプサブフィールド（１５５）は、一般的に測定要請のタイプや測定リポートのタイプを指示する値に設定される。ＳＴＡ統計に対するトリガラジオ測定要請フレーム（１００）の場合、即ち、測定類型がＳＴＡ統計要請である場合、前記測定タイプサブフィールド（１５５）は、測定要請タイプがＳＴＡ統計要請を指示する値に設定される。
【００５８】
測定要請サブフィールド（１５６）には測定タイプサブフィールド（１５５）で特定されている測定タイプに対する一層詳細な情報が含まれる。ＳＴＡ統計と関連するトリガラジオ測定要請フレーム（１００）の場合、前記測定要請サブフィールド（１５６）は、例えば、ランダム間隔（Ｒａｎｄｏｍｉｚａｔｉｏｎ  Ｉｎｔｅｒｖａｌ）サブフィールド（１５６ａ）、測定持続時間（Ｍｅａｓｕｒｅｍｅｎｔ  Ｄｕｒａｔｉｏｎ）サブフィールド（１５６ｂ）、グループ識別子（Ｇｒｏｕｐ  Ｉｄｅｎｔｉｔｙ）サブフィールド（１５６ｃ）、及びトリガリポーティング（Ｔｒｉｇｇｅｒｅｄ  Ｒｅｐｏｒｔｉｎｇ）サブフィールド（１５６ｄ）を含むことができる。
【００５９】
ランダム間隔サブフィールド（１５６ａ）は、要請ＳＴＡによって任意に特定された値が含まれ、この値は連続された測定要請のある場合に該当測定要請の測定開始時間の上限を特定するためのものである。測定持続時間サブフィールド（１５６ｂ）は、一般的に該当要請に対する測定を遂行する時間の間隔を指示する値に設定される。本発明の実施例の通り、ＳＴＡ統計と関連するトリガラジオ測定要請である場合には前記測定持続時間サブフィールド（１５６ｂ）は‘０’に設定されることができる。グループ識別子サブフィールド（１５６ｃ）は、要請された一つの統計グループを指示する値に設定され、統計グループを指示する値の一例は表１の通りである。
【００６０】
【表１】
2010532947.tif 000003
表１から分かるように、‘カウンタテーブルからのＳＴＡカウンタ（ＳＴＡ  Ｃｏｕｎｔｅｒｓ  ｆｒｏｍ  ｄｏｔ１１ＣｏｕｎｔｅｒｓＴａｂｌｅ）’及び‘ＭＡＣ統計グループからのＳＴＡカウンタ（ＳＴＡ  Ｃｏｕｎｔｅｒｓ  ｆｒｏｍ  ｄｏｔ１１ＭＡＣＳｔａｔｉｓｔｉｃｓｇｒｏｕｐ）’は全部ＱｏＳと関連がなく、また、ＳＴＡカウンタに対するものであるという点で共通点があるが、各々はグループ識別子がお互いに区別される。即ち、‘カウンタテーブルからのＳＴＡカウンタ（ＳＴＡ  Ｃｏｕｎｔｅｒｓ  ｆｒｏｍ  ｄｏｔ１１ＣｏｕｎｔｅｒｓＴａｂｌｅ）’及び‘ＭＡＣ統計グループからのＳＴＡカウンタ（ＳＴＡ  Ｃｏｕｎｔｅｒｓ  ｆｒｏｍ  ｄｏｔ１１ＭＡＣＳｔａＳｔｉｓｔｉｃｓｇｒｏｕｐ）’は、要請される統計グループが異なるため、相異なるグループ識別子が使われる。
【００６１】
‘ＱｏＳカウンタテーブルからのＳＴＡカウンタ’（以下、‘ＱｏＳ  ＳＴＡカウンタ’という）は、ＱｏＳレベル別にグループ識別子がさらに細分化されている（グループ識別子２乃至９ご参照）。このようなＱｏＳ  ＳＴＡカウンタに対するグループ識別子は、ＱｏＳレベル別に自体的に細分化されて区分されるだけでなく、ＱｏＳと関連のない前述したＳＴＡカウンタ（グループ識別子が‘０’または‘１’）やＲＳＮＡカウンタ（例えば、グループ識別子が‘１６’）ともグループ識別子が異なる。ＲＳＮＡカウンタは、ＳＴＡカウンタ及びＱｏＳ  ＳＴＡカウンタと別個のグループ識別子を有する。
【００６２】
図１を参照すると、トリガリポーティングサブフィールド（１５６ｄ）は、被要請ＳＴＡからのリポートをトリガさせる条件、トリガタイムアウトなどの値及びＳＴＡ統計要請の各測定グループ別測定項目に対する閾値などを特定するために使われる。一般的に測定要請サブフィールド（１５６）にこのようなトリガリポーティングサブフィールド（１５６ｄ）が存在するかどうかは任意的である。ただし、本発明の実施例のように、ＳＴＡカウンタ（以下、単純に‘ＳＴＡカウンタ’という場合にはＱｏＳと関連のない一般ＳＴＡカウンタをいう）、ＱｏＳ  ＳＴＡカウンタ、及びＲＳＮＡカウンタに対してリポーティングする条件を特定するトリガラジオ測定要請フレームイン場合、トリガリポーティングサブフィールド（１５６ｄ）が測定要請フィールド（１５６）に必ず含まれる。ただし、何のＳＴＡカウンタと関連するトリガラジオ測定要請フレームであるかに応じて、トリガリポーティングサブフィールド（１５６ｄ）に含まれる情報は変えられるため、以下、これに対して説明する。
【００６３】
（ＳＴＡカウンタと関連するトリガラジオ測定要請フレーム）
図６は、トリガラジオ測定要請フレーム（１００）がＳＴＡカウンタに対するものである場合のトリガリポーティングサブフィールド（１５６ｄ）に対するフォーマットの一例を示すブロック図である。図６のフォーマットを有するトリガリポーティングサブフィールド（１５６ｄ）は、図５のトリガラジオ測定要請フレーム（１００）のグループ識別子サブフィールド（１５６ｃ）がＳＴＡカウンタと関連する値（表１の例でグループ識別子の値が０または１の値）に設定される。
【００６４】
図６を参照すると、リポーティング条件サブフィールド（１５６）は、ＳＴＡカウンタトリガ条件（ＳＴＡ  Ｃｏｕｎｔｅｒ  Ｔｒｉｇｇｅｒ  Ｃｏｎｄｉｔｉｏｎ）サブフィールド（２１０）、測定カウント（Ｍｅａｓｕｒｅｍｅｎｔ  Ｃｏｕｎｔ）サブフィールド（２１８）、及びトリガタイムアウト（Ｔｒｉｇｇｅｒ  Ｔｉｍｅｏｕｔ）サブフィールド（２１９）を含み、また、失敗閾値（ｄｏｔ１１Ｆａｉｌｅｄ  Ｔｈｒｅｓｈｏｌｄ）サブフィールド（２１１）、リトライ閾値（ｄｏｔ１１Ｒｅｔｒｙ  Ｔｈｒｅｓｈｏｌｄ）サブフィールド（２１２）、多重リトライ閾値（ｄｏｔ１１Ｍｕｌｔｉｐｌｅ  Ｒｅｔｒｙ  Ｔｈｒｅｓｈｏｌｄ）サブフィールド（２１３）、フレーム複製閾値（ｄｏｔ１１Ｆｒａｍｅ  Ｄｕｐｌｉｃａｔｅ  Ｔｈｒｅｓｈｏｌｄ）サブフィールド（２１４）、ＲＴＳ失敗閾値（ｄｏｔ１１ＲＴＳ  Ｆａｉｌｕｒｅ  Ｔｈｒｅｓｈｏｌｄ）サブフィールド（２１５）、ＡＣＫ失敗閾値（ｄｏｔ１１ＡＣＫ  Ｆａｉｌｕｒｅ  Ｔｈｒｅｓｈｏｌｄ）サブフィールド（２１６）、及びＦＣＳエラー閾値（ｄｏｔ１１ＦＣＳ  Ｅｒｒｏｒ  Ｔｈｒｅｓｈｏｌｄ）サブフィールド（２１７）のうち一つまたはその以上のサブフィールドを含む。
【００６５】
ＳＴＡカウンタの各項目に対する閾値を特定するためのサブフィールド（２１１乃至２１７）のうち、失敗閾値サブフィールド（２１１）及びＦＣＳエラー閾値サブフィールド（２１７）は、カウンタテーブルからのＳＴＡカウンタ（以下、‘第１のＳＴＡカウンタ’という）のグループ識別子（例えば、表１のグループ識別子が‘０’である場合）と関連されているものである。反面、他のサブフィールド、例えば、リトライ閾値サブフィールド（２１２）、多重リトライ閾値サブフィールド（２１３）、フレーム複製閾値サブフィールド（２１４）、ＲＴＳ失敗閾値サブフィールド（２１５）、及びＡＣＫ失敗閾値サブフィールド（２１６）は、ＭＡＣ統計グループからのＳＴＡカウンタ（以下、‘第２のＳＴＡカウンタ’という）のグループ識別子（例えば、表１のグループ識別子が‘１’である場合）と関連されているものである。
【００６６】
ＳＴＡカウンタトリガ条件サブフィールド（２１０）は、ＳＴＡ統計に関するトリガラジオ測定リポーティングを要請する場合、リポーティングをトリガさせる条件を特定するためのものである。ＳＴＡカウンタトリガ条件サブフィールド（２１０）では一つまたはその以上のトリガ条件が特定閾値と共に設定される。このようなＳＴＡカウンタトリガ条件サブフィールド（２１０）は、複数のビットフィールド（ｂｉｔ−ｆｉｅｌｄ）で構成されることができる。そのフォーマットの一例は図７に示されている。
【００６７】
図７を参照すると、ＳＴＡカウンタトリガ条件フィールド（２１０）は、第１のＳＴＡカウンタのグループ識別子（例えば、表１のグループ識別子が‘０’である場合）と関連するビットとして失敗（Ｆａｉｌｅｄ）ビット（Ｂ０）及びＦＣＳエラー（ＦＣＳ  Ｅｒｒｏｒ）ビット（Ｂ１）を含み、また、第２のＳＴＡカウンタのグループ識別子（例えば、表１のグループ識別子が‘１’である場合）と関連するビットとして多重リトライ（Ｍｕｌｔｉｐｌｅ  Ｒｅｔｒｙ）ビット（Ｂ２）、フレーム複製（Ｆｒａｍｅ  Ｄｕｐｌｉｃａｔｅ）ビット（Ｂ３）、ＲＴＳ失敗（ＲＴＳ  Ｆａｉｌｕｒｅ）ビット（Ｂ４）、ＡＣＫ失敗（ＡＣＫ  Ｆａｉｌｕｒｅ）ビット（Ｂ５）及び／またはリトライ（Ｒｅｔｒｙ）ビット（Ｂ６）を含む。前記した各々のビットは‘０’または‘１’に設定されることができ。例えば、ビットが‘０’に設定される場合、該当するトリガ条件に対してはリポーティングをする必要がないということを指示するが、その反対に、ビットが‘１’に設定される場合には該当するトリガ条件に対してはリポーティングを要請するということを指示する。
【００６８】
従って、ＳＴＡカウンタトリガ条件フィールド（２１０）の各ビットが‘１’に設定されているのは、対応するＳＴＡカウンタの値が対応するサブフィールド（２１１乃至２１７）に各々限定されている閾値を超える場合に、ＳＴＡ統計リポートフレームを生成することを要請することである。そして、前記対応するＳＴＡカウンタの値は、測定カウントサブフィールド（２１８）に与えられたＭＳＤＵの総個数の範囲内で測定される。
【００６９】
ＳＴＡカウンタに関してトリガリポートを受けようとする要請ＳＴＡは、図７のＳＴＡカウンタトリガ条件フィールド（２１０）で該当条件に対応する一つ以上のビット（Ｂ０乃至Ｂ６のうち少なくとも一つ）を‘１’に設定して、また、図６に示されたトリガされたリポーティングサブフィールド（１５６ｄ）の各ＳＴＡカウンタ項目に関する閾値サブフィールド（２１１乃至２１７）ではＳＴＡカウンタトリガ条件フィールド（２１０）に‘１’に設定されたビットに対応されるＳＴＡカウンタ項目に対する閾値サブフィールドに所定の閾値を特定することができる。
【００７０】
図５において、グループ識別子サブフィールド（１５６ｃ）は、表１に開示されているグループ識別子の値のうちいずれか一つの値に設定される。反面、図６のリポーティング条件サブフィールド（１５６ｄ）及び図７のＳＴＡカウンタトリガ条件サブフィールド（２１０）は、二つ種類の統計グループ、即ち、第１のＳＴＡカウンタのグループ（表１のグループ識別子が‘０’である場合）及び第２のＳＴＡカウンタのグループ（例えば、表１のグループ識別子が‘１’である場合）に関するトリガ条件が共に並存している。このような場合、リポーティング条件を体系的且つ效率的に設定するためには、グループ識別子サブフィールド（１５６ｃ）に設定される値に対応して図７のＳＴＡカウンタトリガ条件サブフィールド（２１０）の値が設定されなければならない。
【００７１】
例えば、グループ識別子サブフィールド（１５６ｃ）が表１の例に従って、‘０’に設定される場合、グループ識別子が‘１’である場合に該当される第２のＳＴＡカウンタのグループのトリガ条件は設定できないようにするのが望ましい。このためには、グループ識別子サブフィールド（１５６ｃ）が‘０’に設定された場合には、図７のＳＴＡカウンタトリガ条件サブフィールド（２１０）でＢ２ビット乃至Ｂ６ビットは全部‘０’に設定されるようにして、グループ識別子が‘１’であることと関連するＳＴＡカウンタの各項目に対して閾値を設定することができないようにすべきである。反面、グループ識別子サブフィールド（１５６ｃ）が表１の例に従って、‘１’に設定される場合には、グループ識別子が‘０’である場合に該当される第１のＳＴＡカウンタグループのトリガ条件は設定できないようにする。このためには、グループ識別子サブフィールド（１５６ｃ）が‘１’に設定された場合には、図７のＳＴＡカウンタトリガ条件サブフィールド（２１０）でＢ０ビットとＢ１ビットは全部‘０’に設定されるようにして、グループ識別子が‘０’であることと関連するＳＴＡカウンタの各項目に対しては閾値を設定することができないようにする。
【００７２】
本実施例によると、グループ識別子が指示する値に対応してＳＴＡカウンタトリガ条件フィールドでは該当されないグループ識別子と関連するＳＴＡカウンタ項目に対するビットフィールドの値を制限することによって、ＳＴＡカウンタと関連するＳＴＡ統計要請フレームを效率的に構成することができる。併せて、本実施例によると、ＳＴＡ統計要請フレームを效率的に構成することによって、トリガラジオ測定手順のためのトリガＳＴＡ統計要請フレーム及びこれに対するＳＴＡ統計リポートフレームの交換を体系的且つ效率的に遂行することができる。
【００７３】
図６を参照すると、測定カウントフィールド（２１８）には、測定された統計が、設定された閾値以上であるかどうかを判定するのに使用するＭＳＤＵ（ＭＡＣ  Ｓｅｒｖｉｃｅ  Ｄａｔａ  Ｕｎｉｔ）の数を示す情報が含まれる。トリガタイムアウトサブフィールド（２１９）にはトリガ条件がみたされた以後に測定ＳＴＡが追加的なＳＴＡカウント統計リポートを生成しない時間を示す情報が含まれる。
【００７４】
失敗閾値サブフィールド（２１１）は、失敗条件に対する閾値として使われるＭＳＤＵの数を示す値を含める。失敗閾値サブフィールド（２１１）は、ＳＴＡカウンタトリガ条件サブフィールド（２１０）の失敗ビット（ｄｏｔ１１Ｆａｉｌｅｄ）が‘１’に設定された場合にのみ存在する。
【００７５】
リトライ閾値サブフィールド（２１２）は、リトライ条件に対する閾値として使われるＭＳＤＵの数を示す値を含める。リトライ閾値サブフィールド（２１２）は、ＳＴＡカウンタトリガ条件サブフィールド（２１０）のリトライビット（ｄｏｔ１１Ｒｅｔｒｙ）が‘１’に設定された場合にのみ存在する。
【００７６】
多重リトライ閾値サブフィールド（２１３）は、多重リトライ条件に対する閾値として使われるＭＳＤＵの数を示す値を含める。多重リトライ閾値サブフィールド（２１３）は、ＳＴＡカウンタトリガ条件サブフィールド（２１０）の多重リトライビット（ｄｏｔ１１Ｍｕｌｔｉｐｌｅ  Ｒｅｔｒｙ）が‘１’に設定された場合にのみ存在する。
【００７７】
フレーム複製閾値サブフィールド（２１４）は、フレーム複製条件に対する閾値として使われるＭＳＤＵの数を示す値を含める。フレーム複製閾値サブフィールド（２１４）は。ＳＴＡカウンタトリガ条件サブフィールド（２１０）のフレーム複製ビット（ｄｏｔ１１Ｆｒａｍｅ  Ｄｕｐｌｉｃａｔｅ）が‘１’に設定された場合にのみ存在する。
【００７８】
ＲＴＳ失敗閾値サブフィールド（２１５）は、ＲＴＳ失敗条件に対する閾値として使われるＭＳＤＵの数を示す値を含める。ＲＴＳ失敗閾値サブフィールド（２１５）は、ＳＴＡカウンタトリガ条件サブフィールド（２１０）のＲＴＳ失敗ビット（ｄｏｔ１１ＲＴＳＦａｉｌｕｒｅ）が‘１’に設定された場合にのみ存在する。
【００７９】
ＡＣＫ失敗閾値サブフィールド（２１６）は、ＡＣＫ失敗条件に対する閾値として使われるＭＳＤＵの数を示す値を含める。ＡＣＫ失敗閾値サブフィールド（２１６）は、ＳＴＡカウンタトリガ条件サブフィールド（２１０）のＡＣＫ失敗ビット（ｄｏｔ１１ＡＣＫＦａｉｌｕｒｅ）が‘１’に設定された場合にのみ存在する。
【００８０】
ＦＣＳエラー閾値サブフィールド（２１７）は、ＦＣＳエラー条件に対する閾値として使われるＭＳＤＵの数を示す値を含める。ＦＣＳエラー閾値サブフィールド（２１７）は、ＳＴＡカウンタトリガ条件サブフィールド（２１０）のＦＣＳエラービット（ｄｏｔ１１ＦＣＳＥｒｒｏｒ）が‘１’に設定された場合にのみ存在する。
【００８１】
（ＱｏＳ  ＳＴＡカウンタと関連するトリガＳＴＡ統計要請手順）
図５のトリガリポーティングサブフィールド（１５６ｄ）に対するフォーマットの他の例は図８に示されている。図８のフォーマットを有するトリガリポーティングサブフィールド（１５６ｄ）は、図５のグループ識別子ユニット（１５６ｃ）がＱｏＳ  ＳＴＡカウンタと関連する値（表１の例でグループ識別子の値が２乃至９のうちいずれか一つの値）に設定される場合である。
【００８２】
図８を参照すると、トリガリポーティングサブフィールド（１５６ｄ）は、ＱｏＳ  ＳＴＡカウンタトリガ条件（ＱｏＳ  ＳＴＡ  Ｃｏｕｎｔｅｒ  Ｔｒｉｇｇｅｒ  Ｃｏｎｄｉｔｉｏｎ）サブフィールド（３１０）、ＱｏＳ失敗閾値（ｄｏｔ１１ＱｏＳＦａｉｌｅｄ  Ｔｈｒｅｓｈｏｌｄ）サブフィールド（３１１）、ＱｏＳリトライ閾値（ｄｏｔ１１ＱｏＳＲｅｔｒｙ  Ｔｈｒｅｓｈｏｌｄ）サブフィールド（３１２）、ＱｏＳ多重リトライ閾値（ｄｏｔ１１ＱｏＳＭｕｌｔｉｐｌｅ  Ｒｅｔｒｙ  Ｔｈｒｅｓｈｏｌｄ）サブフィールド（３１３）、ＱｏＳフレーム複製閾値（ｄｏｔ１１ＱｏＳＦｒａｍｅ  Ｄｕｐｌｉｃａｔｅ  Ｔｈｒｅｓｈｏｌｄ）サブフィールド（３１４）、ＱｏＳ  ＲＴＳ失敗閾値（ｄｏｔ１１ＱｏＳＲＴＳ  Ｆａｉｌｕｒｅ  Ｔｈｒｅｓｈｏｌｄ）サブフィールド（３１５）、ＱｏＳ  ＡＣＫ失敗閾値（ｄｏｔ１１ＱｏＳＡＣＫ  Ｆａｉｌｕｒｅ  Ｔｈｒｅｓｈｏｌｄ）サブフィールド（３１６）、ＱｏＳ廃棄閾値（ｄｏｔ１１ＱｏＳＤｉｓｃａｒｄｅｄ  Ｔｈｒｅｓｈｏｌｄ）サブフィールド（３１７）、測定カウント（Ｍｅａｓｕｒｅｍｅｎｔ  Ｃｏｕｎｔ）サブフィールド（３１８）、及びトリガタイムアウト（Ｔｒｉｇｇｅｒ  Ｔｉｍｅｏｕｔ）サブフィールド（３１９）を含む。ここで、閾値サブフィールド（３１１乃至３１７）は、ＱｏＳ  ＳＴＡカウンタトリガ条件サブフィールド（３１０）で対応されるビットが‘１’に設定された場合にのみ有効な任意フィールドである。
【００８３】
ＱｏＳ  ＳＴＡカウンタトリガ条件サブフィールド（３１０）は、トリガＱｏＳ  ＳＴＡ統計リポーティングを要請する場合にリポーティングをトリガさせる条件を特定するためのものである。ＱｏＳ  ＳＴＡカウンタトリガ条件サブフィールド（３１０）では一つまたはその以上のトリガ条件が特定閾値と共に設定される。ＱｏＳ  ＳＴＡカウンタトリガ条件サブフィールド（３１０）は、複数のビットフィールド（ｂｉｔ−ｆｉｅｌｄ）で構成されることができる。そのフォーマットの一例は図９に示されている。図９を参照すると、ＱｏＳ  ＳＴＡカウンタトリガ条件フィールド（３１０）は、ＱｏＳ失敗（ｄｏｔ１１ＱｏＳＦａｉｌｅｄ）ビットフィールド（Ｂ０）、ＱｏＳリトライ（ｄｏｔ１１ＱｏＳＲｅｔｒｙ）ビットフィールド（Ｂ１）、ＱｏＳ多重リトライ（ｄｏｔ１１ＱｏＳＭｕｌｔｉｐｌｅ  ｒｅｔｒｙ）ビットフィールド（Ｂ２）、ＱｏＳフレーム複製（ｄｏｔ１１ＱｏＳＦｒａｍｅ  Ｄｕｐｌｉｃａｔｅ）ビットフィールド（Ｂ３）、ＱｏＳ  ＲＴＳ失敗（ｄｏｔ１１ＱｏＳＲＴＳ  Ｆａｉｌｕｒｅ）ビットフィールド（Ｂ４）、ＱｏＳ  ＡＣＫ失敗（ｄｏｔ１１ＱｏＳＡＣＫ  Ｆａｉｌｕｒｅ）ビットフィールド（Ｂ５）、ＱｏＳ廃棄（ｄｏｔ１１ＱｏＳＤｉｓｃａｒｄｅｄ）ビットフィールド（Ｂ６）を含む。前記した各々のビットは‘０’または‘１’に設定されることができる。例えば‘０’に設定されれば、該当するトリガ条件に対してはリポーティングをする必要がないということを指示する。反面、一つまたはその以上のビットが‘１’に設定される場合には該当するトリガ条件に対してはリポーティングを要請するということを指示する。
【００８４】
従って、ＱｏＳ  ＳＴＡカウンタトリガ条件サブフィールド（３１０）の各ビットが‘１’に設定されていることは、対応するＳＴＡカウンタの値が対応するサブフィールド（３１１乃至３１７）に各々限定されている閾値を超える場合に、ＱｏＳ  ＳＴＡ統計リポートフレームを生成することを要請することである。前記対応するＳＴＡカウンタの値は、測定カウントサブフィールド（３１８）に与えられたＭＳＤＵの総個数の範囲内で測定される。
【００８５】
ＱｏＳカウンタと関連してトリガリポートを受けようとする要請ＳＴＡは、図９のＱｏＳ  ＳＴＡカウンタトリガ条件フィールド（３１０）で該当条件に対応するビット（Ｂ０乃至Ｂ６のうち少なくとも一つ）を‘１’に設定して、また、図８のトリガリポーティングサブフィールド（１５６ｄ）で前記‘１’に設定されたビットに対応される閾値フィールド（３１１乃至３１７のうち対応されるフィールド）に所定の閾値を特定することができる。そして、この場合、図５のグループ識別子サブフィールド（１５６ｃ）は、表１に開示されているＱｏＳ関連グループ識別子の値のうちいずれか一つの値に設定される。
【００８６】
図８を参照すると、測定カウントサブフィールド（３１８）には測定された統計が、設定された閾値以上であるかどうかを判定するのに使用するＭＳＤＵ（ＭＡＣ  Ｓｅｒｖｉｃｅ  Ｄａｔａ  Ｕｎｉｔ）の数を示す情報が含まれる。トリガタイムアウトサブフィールド（３１９）にはトリガ条件がみたされた以後に測定ＳＴＡが追加的なトリガＱｏＳ  ＳＴＡ統計リポートフレームを生成しない時間を示す情報が含まれる。各々のＱｏＳ閾値フィールド（３１１乃至３１７）には該当条件に対する閾値として使われるＭＳＤＵの個数を示す値が含まれる。
【００８７】
より具体的に、ＱｏＳ失敗閾値サブフィールド（３１１）は、ＱｏＳ失敗条件に対する閾値として使われるＭＳＤＵの数を示す値を含める。ＱｏＳ失敗閾値サブフィールド（３１１）は、ＱｏＳ  ＳＴＡカウンタトリガ条件サブフィールド（３１０）のＱｏＳ失敗ビット（ｄｏｔ１１ＱｏＳＦａｉｌｅｄ）が‘１’に設定された場合にのみ存在する。
【００８８】
ＱｏＳリトライ閾値サブフィールド（３１２）は、ＱｏＳリトライ条件に対する閾値として使われるＭＳＤＵの数を示す値を含める。ＱｏＳリトライ閾値サブフィールド（３１２）は、ＱｏＳ  ＳＴＡカウンタトリガ条件サブフィールド（３１０）のＱｏＳリトライビット（ｄｏｔ１１ＱｏＳＲｅｔｒｙ）が‘１’に設定された場合にのみ存在する。
【００８９】
ＱｏＳ多重リトライ閾値サブフィールド（３１３）は、ＱｏＳ多重リトライ条件に対する閾値として使われるＭＳＤＵの数を示す値を含める。ＱｏＳ多重リトライ閾値サブフィールド（３１３）は、ＱｏＳ  ＳＴＡカウンタトリガ条件サブフィールド（３１０）のＱｏＳ多重リトライビット（ｄｏｔ１１ＱｏＳＭｕｌｔｉｐｌｅＲｅｔｒｙ）が‘１’に設定された場合にのみ存在する。
【００９０】
ＱｏＳフレーム複製閾値サブフィールド（３１４）は、ＱｏＳフレーム複製条件に対する閾値として使われるＭＳＤＵの数を示す値を含める。ＱｏＳフレーム複製閾値サブフィールド（３１４）は、ＱｏＳ  ＳＴＡカウンタトリガ条件サブフィールド（３１０）のＱｏＳフレーム複製ビット（ｄｏｔ１１ＱｏＳＦｒａｍｅＤｕｐｌｉｃａｔｅ）が‘１’に設定された場合にのみ存在する。
【００９１】
ＱｏＳ  ＲＴＳ失敗閾値サブフィールド（３１５）は、ＱｏＳ  ＲＴＳ失敗条件に対する閾値として使われるＭＳＤＵの数を示す値を含める。ＱｏＳ  ＲＴＳ失敗閾値サブフィールド（３１５）は、ＱｏＳ  ＳＴＡカウンタトリガ条件サブフィールド（３１０）のＱｏＳ  ＲＴＳ失敗ビット（ｄｏｔ１１ＱｏＳＲＴＳＦａｉｌｕｒｅ）が‘１’に設定された場合にのみ存在する。
【００９２】
ＱｏＳ  ＡＣＫ失敗閾値サブフィールド（３１６）は、ＱｏＳ  ＡＣＫ失敗条件に対する閾値として使われるＭＳＤＵの数を示す値を含める。ＱｏＳ  ＡＣＫ失敗閾値サブフィールド（３１６）は、ＱｏＳ  ＳＴＡカウンタトリガ条件サブフィールド（３１０）のＱｏＳ  ＡＣＫ失敗ビット（ｄｏｔ１１ＱｏＳＡＣＫＦａｉｌｕｒｅ）が‘１’に設定された場合にのみ存在する。
【００９３】
そして、ＱｏＳ廃棄閾値サブフィールド（３１７）は、ＱｏＳ廃棄（Ｄｉｓｃａｒｄ）条件に対する閾値として使われるＭＳＤＵの数を示す値を含める。ＱｏＳ廃棄閾値サブフィールド（３１７）は、ＱｏＳ  ＳＴＡカウンタトリガ条件サブフィールド（３１０）のＱｏＳ廃棄ビット（ｄｏｔ１１ＱｏＳＤｉｓｃａｒｄｅｄ）が‘１’に設定された場合にのみ存在する。
【００９４】
本実施例ではＱｏＳ  ＳＴＡカウンタと関連するトリガＱｏＳ  ＳＴＡ統計要請フレームのフォーマットを具体的に細分化して新たに定義する。本実施例に係るトリガＱｏＳ  ＳＴＡ統計要請フレームを用いることによって、要請ＳＴＡは、ＱｏＳ  ＳＴＡカウンタと関連して細分化されている各測定要素に対して一つまたはその以上のトリガ条件を特定してリポーティングＳＴＡに統計要請をすることが可能である。従って、本発明の実施例によると、ＱｏＳ  ＳＴＡカウンタと関連して各測定要素に対し、より具体的に、また、体系的なトリガＱｏＳ  ＳＴＡ統計要請及びリポート手順の遂行が可能である。
【００９５】
（ＲＳＮＡカウンタと関連するトリガＳＴＡ統計要請手順）
図５のトリガリポーティングサブフィールド（１５６ｄ）に対するフォーマットの他の例は、図１０に示されている。図１０のフォーマットを有するトリガリポーティングサブフィールド（１５６ｄ）は、図５のグループ識別子ユニット（１５６ｃ）がＲＳＮＡ  ＳＴＡカウンタと関連する値（表１の例でグループ識別子の値が１１）に設定される場合である。
【００９６】
図１０を参照すると、トリガリポーティングサブフィールド（１５６ｄ）は、ＲＳＮＡカウンタトリガ条件（ＲＳＮＡ  Ｃｏｕｎｔｅｒ  Ｔｒｉｇｇｅｒ  Ｃｏｎｄｉｔｉｏｎ）サブフィールド（４１０）、ＣＭＡＣＩＣＶエラー閾値（ｄｏｔ１１ＲＳＮＡＳｔａｔｓＣＭＡＣＩＣＶＥｒｒｏｒｓ  Ｔｈｒｅｓｈｏｌｄ）サブフィールド（４１１）、ＣＭＡＣリプレイ閾値（ｄｏｔ１１ＲＳＮＡＳｔａｔｓＣＭＡＣＲｅｐｌａｙｓ  Ｔｈｒｅｓｈｏｌｄ）サブフィールド（４１２）、ＢＩＰリプレイ閾値（ｄｏｔ１１ＲＳＮＡＳｔａｔｓＢＩＰＲｅｐｌａｙｓ  Ｔｈｒｅｓｈｏｌｄ）サブフィールド（４１３）、ＣＣＭＰリプレイ閾値（ｄｏｔ１１ＲＳＮＡＳｔａｔｓＲｏｂｕｓｔＭｇｍｔＣＣＭＰＲｅｐｌａｙｓ  Ｔｈｒｅｓｈｏｌｄ）サブフィールド（４１４）、ＴＫＩＰＩＣＶエラー閾値（ｄｏｔ１１ＲＳＮＡＳｔａｔｓＴＫＩＰＩＣＶＥｒｒｏｒｓ  Ｔｈｒｅｓｈｏｌｄ）サブフィールド（４１５）、ＴＫＩＰリプレイ閾値（ｄｏｔ１１ＲＳＮＡＳｔａｔｓＴＫＩＰＲｅｐｌａｙｓ  Ｔｈｒｅｓｈｏｌｄ）サブフィールド（４１６）、ＣＣＭＰ復号エラー閾値（ｄｏｔ１１ＲＳＮＡＳｔａｔｓＣＣＭＰＤｅｃｒｙｐｔＥｒｒｏｒｓ  Ｔｈｒｅｓｈｏｌｄ）サブフィールド（４１７）、ＣＣＭＰリプレイ閾値（ｄｏｔ１１ＲＳＮＡＳｔａｔｓＣＣＭＰｒｅｐｌａｙｓ  Ｔｈｒｅｓｈｏｌｄ）サブフィールド（４１８）、測定カウント（Ｍｅａｓｕｒｅｍｅｎｔ  Ｃｏｕｎｔ）サブフィールド（４１９）、及びトリガタイムアウト（Ｔｒｉｇｇｅｒ  Ｔｉｍｅｏｕｔ）サブフィールド（４２０）を含む。ここで、閾値サブフィールド（４１１乃至３１８）は、ＲＳＮＡカウンタトリガ条件フィールド（４１０）で対応されるビットが‘１’に設定された場合にのみ有効な任意フィールドである。
【００９７】
ＲＳＮＡカウンタトリガ条件サブフィールド（４１０）は、トリガＲＳＮＡ  ＳＴＡ統計リポーティングを要請する場合にリポーティングをトリガさせる条件を特定するためのものである。ＲＳＮＡカウンタトリガ条件サブフィールド（４１０）では一つまたはその以上のトリガ条件が特定閾値と共に設定される。このようなＲＳＮＡカウンタトリガ条件サブフィールド（４１０）は、複数のビットフィールド（ｂｉｔ−ｆｉｅｌｄ）で構成されることができる。そのフォーマットの一例は図１１に示されている。図１１を参照すると、ＲＳＮＡカウンタトリガ条件サブフィールド（４１０）は、ＣＭＡＣＩＣＶエラー（ｄｏｔ１１ＲＳＮＡＳｔａｔｓＣＭＡＣＩＣＶＥｒｒｏｒｓ）ビットフィールド（Ｂ０）、ＣＭＡＣリプレイ（ｄｏｔ１１ＲＳＮＡＳｔａｔｓＣＭＡＣＲｅｐｌａｙｓ）ビットフィールド（Ｂ１）、ＢＩＰリプレイ（ｄｏｔ１１ＲＳＮＡＳｔａｔｓＢＩＰＲｅｐｌａｙｓ）ビットフィールド（Ｂ２）、ＣＣＭＰリプレイ（ｄｏｔ１１ＲＳＮＡＳｔａｔｓＲｏｂｕｓｔＭｇｍｔＣＣＭＰＲｅｐｌａｙｓ）ビットフィールド（Ｂ３）、ＴＫＩＰＩＣＶエラー（ｄｏｔ１１ＲＳＮＡＳｔａｔｓＴＫＩＰＩＣＶＥｒｒｏｒｓ）ビットフィールド（Ｂ４）、ＴＫＩＰリプレイ（ｄｏｔ１１ＲＳＮＡＳｔａｔｓＴＫＩＰＲｅｐｌａｙｓ）ビットフィールド（Ｂ５）、ＣＣＭＰ復号エラー（ｄｏｔ１１ＲＳＮＡＳｔａｔｓＣＣＭＰＤｅｃｒｙｐｔＥｒｒｏｒｓ）ビットフィールド（Ｂ６）、ＣＣＭＰリプレイ（ｄｏｔ１１ＲＳＮＡＳｔａｔｓＣＣＭＰｒｅｐｌａｙｓ）ビットフィールド（Ｂ７）を含む。前記した各々のビットは、‘０’または‘１’に設定されることができる。例えば‘０’に設定されれば、該当するトリガ条件に対してはリポーティングをする必要がないということを指示する。反面、一つまたはその以上のビットが‘１’に設定される場合には該当するトリガ条件に対してはリポーティングを要請するということを指示する。
【００９８】
従って、ＲＳＮＡカウンタトリガ条件サブフィールド（４１０）の各ビットが‘１’に設定されていることは、対応するＲＳＮＡエラーまたは失敗カウンタの値が対応するサブフィールド（４１１乃至４１８）に各々限定されているＲＳＮＡ失敗閾値を超える場合、ＲＳＮＡ  ＳＴＡ統計リポートフレームを生成することを要請することである。そして、前記対応するＲＳＮＡエラーまたは失敗カウンタの値は、測定カウントサブフィールド（４１９）に与えられたＭＳＤＵの総個数の範囲内で測定される。
【００９９】
ＲＳＮＡカウンタと関連してトリガリポートを受けようとする要請ＳＴＡは、図１１のＱｏＳ  ＳＴＡカウンタトリガ条件サブフィールド（４１０）で該当条件に対応するビット（Ｂ０乃至Ｂ７のうち少なくとも一つ）を‘１’に設定して、また、図１０のトリガリポーティングサブフィールド（１５６ｄ）で前記‘１’に設定されたビットに対応される閾値フィールド（４１１乃至４１８のうち対応されるフィールド）に所定の閾値を特定することができる。そして、この場合に図５のグループ識別子フィールド（１５６ｃ）は、表１に開示されているＲＳＮＡ関連グループ識別子の値に設定される。
【０１００】
図１０を参照すると、測定カウントフィールド（４１９）には、測定された統計が、設定された閾値以上であるかどうかを判定するのに使用するＭＳＤＵ（ＭＡＣ  Ｓｅｒｖｉｃｅ  Ｄａｔａ  Ｕｎｉｔ）の数を示す情報が含まれる。そして、トリガタイムアウトサブフィールド（４２０）にはトリガ条件がみたされた以後に測定ＳＴＡが追加的なトリガＲＳＮＡ  ＳＴＡ統計リポートフレームを生成しない時間を示す情報が含まれる。また、各々のＲＳＮＡ閾値フィールド（４１１乃至４１８）には該当条件に対する閾値として使われるＭＳＤＵの個数を示す値が含まれる。
【０１０１】
より具体的に、ＣＭＡＣＩＣＶエラー閾値フィールド（４１１）は、ＲＳＮＡ統計ＣＭＡＣＩＣＶエラー条件に対する閾値として使われるＭＳＤＵの数を示す値を含める。ＣＭＡＣＩＣＶエラー閾値フィールド（４１１）は、ＲＳＮＡカウンタトリガ条件サブフィールド（４１０）のＣＭＡＣＩＣＶエラービット（ｄｏｔＲＳＮＡＳｔａｔｓＣＭＡＣＩＣＶＥｒｒｏｒｓ）が‘１’に設定された場合にのみ存在する。
【０１０２】
ＣＭＡＣリプレイ閾値フィールド（４１２）は、ＲＳＮＡ統計ＣＭＡＣリプレイ条件に対する閾値として使われるＭＳＤＵの数を示す値を含める。ＣＭＡＣリプレイ閾値フィールド（４１２）は、ＲＳＮＡカウンタトリガ条件サブフィールド（４１０）のＣＭＡＣリプレイビット（ｄｏｔＲＳＮＡＳｔａｔｓＣＭＡＣＲｅｐｌａｙｓ）が‘１’に設定された場合にのみ存在する。
【０１０３】
ＢＩＰリプレイ閾値フィールド（４１３）は、ＲＳＮＡ統計ＢＩＰリプレイ条件に対する閾値として使われるＭＳＤＵの数を示す値を含める。ＢＩＰリプレイ閾値フィールド（４１３）は、ＲＳＮＡカウンタトリガ条件サブフィールド（４１０）のＢＩＰリプレイビット（ｄｏｔＲＳＮＡＳｔａｔｓＢＩＰＲｅｐｌａｙｓ）が‘１’に設定された場合にのみ存在する。
【０１０４】
ＣＣＭＰリプレイ閾値フィールド（４１４）はＲＳＮＡ統計剛健な管理ＣＣＭＰリプレイ条件に対する閾値として使われるＭＳＤＵの数を示す値を含める。ＣＣＭＰリプレイ閾値フィールド（４１４）は、ＲＳＮＡカウンタトリガ条件サブフィールド（４１０）のＣＣＭＰリプレイビット（ｄｏｔＲＳＮＡＳｔａｔｓＲｏｂｕｔｍｇｍｔＣＣＭＰＲｅｐｌａｙｓ）が‘１’に設定された場合にのみ存在する。
【０１０５】
ＴＫＩＰＩＣＶエラー閾値フィールド（４１５）は、ＲＳＮＡ統計ＴＫＩＰＩＣＶエラー条件に対する閾値として使われるＭＳＤＵの数を示す値を含める。ＴＫＩＰＩＣＶエラー閾値フィールド（４１５）は、ＲＳＮＡカウンタトリガ条件サブフィールド（４１０）のＴＫＩＰＩＣＶエラービット（ｄｏｔＲＳＮＡＳｔａｔｓＴＫＩＰＩＣＶＥｒｒｏｒｓ）が‘１’に設定された場合にのみ存在する。
【０１０６】
ＴＫＩＰリプレイ閾値フィールド（４１６）は、ＲＳＮＡ統計ＴＫＩＰリプレイ条件に対する閾値として使われるＭＳＤＵの数を示す値を含める。このようなＴＫＩＰリプレイ閾値フィールド（４１６）は、ＲＳＮＡカウンタトリガ条件サブフィールド（４１０）のＴＫＩＰリプレイビット（ｄｏｔＲＳＮＡＳｔａｔｓＴＫＩＰＲｅｐｌａｙｓ）が‘１’に設定された場合にのみ存在する。
【０１０７】
ＣＣＭＰ復号エラー閾値フィールド（４１７）は、ＲＳＮＡ統計ＣＣＭＰ復号エラー条件に対する閾値として使われるＭＳＤＵの数を示す値を含める。ＣＣＭＰ復号エラー閾値フィールド（４１７）は、ＲＳＮＡカウンタトリガ条件サブフィールド（４１０）のＣＣＭＰ復号エラービット（ｄｏｔＲＳＮＡＳｔａｔｓＣＣＭＰＤｅｃｒｙｐｔＥｒｒｏｒｓ）が‘１’に設定された場合にのみ存在する。
【０１０８】
ＣＣＭＰリプレイ閾値フィールド（４１８）は、ＲＳＮＡ統計ＣＣＭＰリプレイ条件に対する閾値として使われるＭＳＤＵの数を示す値を含める。ＣＣＭＰリプレイ閾値フィールド（４１８）は、ＲＳＮＡカウンタトリガ条件サブフィールド（４１０）のＣＣＭＰリプレイビット（ｄｏｔＲＳＮＡＳｔａｔｓＣＣＭＰＲｅｐｌａｙｓ）が‘１’に設定された場合にのみ存在する。
【０１０９】
本実施例ではＲＳＮＡカウンタと関連するトリガＳＴＡ統計要請フレームのフォーマットを具体的に細分化して新しく定義する。本実施例に係るトリガＲＳＮＡ  ＳＴＡ統計要請フレームを用いれば、要請ＳＴＡは、ＲＳＮＡカウンタと関連して細分化されている各測定要素に対して一つまたはその以上のトリガ条件を特定して報告ＳＴＡに統計要請をすることが可能である。従って、本実施例によると、ＲＳＮＡカウンタと関連して各測定要素に対してさらに具体的、且つ体系的なトリガＲＳＮＡ  ＳＴＡ統計要請及びリポート手順の遂行が可能である。
【０１１０】
また、図４を参照すると、トリガリポーティングサーバーフィールドを含むＳＴＡ統計要請メッセージ、例えば、トリガラジオ測定要請フレーム（１００）を受信した被要請ＳＴＡまたはリポーティングＳＴＡは、要請された統計、即ち、前記トリガリポーティングサブフィールド（１５６ｄ）に特定されている統計要素に対する測定を遂行する（Ｓ４２）。このような測定は、前記被要請ＳＴＡがトリガＳＴＡ統計測定を許諾する場合に遂行されて、一度許諾されたトリガＳＴＡ統計測定要請は、前記被要請ＳＴＡまたは測定ＳＴＡが分離（ｄｉｓａｓｓｏｃｉａｔｉｏｎ）したり、または成功的に再結合する時まで継続的に有効である。被要請ＳＴＡにおける測定過程は、トリガリポーティングサブフィールド（１５６ｄ）の測定カウントサブフィールド（２１８、３１８、４１９）に含まれているＭＳＤＵの個数内で行なわれる。
【０１１１】
測定結果としてトリガ条件がみたされた場合には、被要請ＳＴＡは、前記要請ＳＴＡに要請された条件付きＳＴＡリポート、即ち、ＳＴＡ統計測定リポートメッセージを伝送する（Ｓ４３）。前記ＳＴＡ統計測定リポートメッセージは、測定リポート要素（Ｍｅａｓｕｒｅｍｅｎｔ  Ｒｅｐｏｒｔ  Ｅｌｅｍｅｎｔｓ）としてＳＴＡ統計リポート要素が含まれるフレームであってもくよく、この場合、ＳＴＡ統計リポートメッセージは、ラジオ測定リポートフレーム（Ｒａｄｉｏ  Ｍｅａｓｕｒｅｍｅｎｔ  Ｒｅｐｏｒｔ  Ｆｒａｍｅ）であってもよい。
【０１１２】
同じトリガＳＴＡ統計要請メッセージに対してＳＴＡ統計リポートメッセージを伝送した被要請ＳＴＡまたは測定ＳＴＡは、前記トリガＳＴＡ統計要請メッセージのトリガタイムアウト期間が満了したり、または新しいトリガ条件が要請されてその要件がみたされる時までは、ＳＴＡ統計リポートメッセージを追加に伝送しない。
【０１１３】
トリガＳＴＡ統計測定要請に係る測定の進行中に異なるＳＴＡ統計測定要請を受信する場合には、前記異なるＳＴＡ統計測定要請の持続時間の間にに進行中であるトリガＳＴＡ統計測定要請に対する手順は中断される。そして、前記トリガＳＴＡ統計測定要請が再開始されれば、その前にカウントされた統計はリセットされる。
【０１１４】
本段階（Ｓ４３）で伝送されるＳＴＡ統計リポートに含まれるＳＴＡ統計は、伝送されたＭＳＤＵの数にわたって累積された値になる。トリガＳＴＡ統計測定及びリポートでは測定持続時間は使われなく、トリガ測定要請フレーム及びトリガ測定リポートフレームに含まれる測定持続時間は‘０’になってもよい。
【０１１５】
被要請ＳＴＡまたは測定ＳＴＡで開始された全てのトリガＳＴＡ統計測定手順は、イネイブルビット（Ｅｎａｂｌｅ  ｂｉｔ）が‘１’に設定されて、リポートビット（Ｒｅｐｏｒｔ  ｂｉｔ）が‘０’に設定されたＳＴＡ統計要請メッセージを受信すれば終了される。トリガＳＴＡ統計要請メッセージを伝送するＳＴＡは、新しいトリガ条件を特定する新しいトリガＳＴＡ統計要請メッセージを伝送することによって、トリガ条件をアップデートすることができる。
【０１１６】
図１２には段階Ｓ４３で被要請ＳＴＡが伝送するトリガＳＴＡ統計リポートフレームのフォーマットの一例を示すブロック図が示されている。図１２のフレームフォーマットは、アクションフレームボディーフォーマットを採用する。
【０１１７】
図１２を参照すると、トリガＳＴＡ統計リポートフレーム（５００）は、カテゴリ（Ｃａｔｅｇｏｒｙ）フィールド（５１０）、アクション（Ａｃｔｉｏｎ）フィールド（５２０）、ダイアローグトークン（Ｄｉａｌｏｇ  Ｔｏｋｅｎ）フィールド（５３０）、及び測定リポート要素（Ｍｅａｓｕｒｅｍｅｎｔ  Ｒｅｐｏｒｔ  Ｅｌｅｍｅｎｔ）フィールド（５４０）を含む。カテゴリフィールド（５１０）は、図５のトリガＳＴＡ統計要請フレーム（１００）と同様に、無線測定カテゴリを指示する値に設定される。アクションフィールド（５２０）は、測定リポートを指示する値に設定される。そして、ダイアローグトークンフィールド（５３０）は、トリガＳＴＡ統計要請フレーム（１００）のダイアローグトークンフィールド（１３０）と同じ値に設定される。これによって要請ＳＴＡは、受信されたリポートフレーム（５００）がどの要請フレームに対する応答であるかが分かる。
【０１１８】
測定リポート要素フィールド（５４０）は、一つまたはその以上の測定リポート要素を含む。前記測定リポート要素は、報告ＳＴＡが収集したものであって、トリガＳＴＡ統計要請フレーム（１００）に含まれたトリガ条件がみたされた要請要素に対する測定リポートを含んでいる。トリガＳＴＡ統計リポートフレーム（５００）に含まれる測定リポート要素の数及び長さは最大許容されるＭＭＰＤＵ（ＭＡＣ  Ｍａｎａｇｅｍｅｎｔ  Ｐｒｏｔｏｃｏｌ  Ｄａｔａ  Ｕｎｉｔ）の大きさによって制限される。測定要請要素フィールド（５４０）は、要素ＩＤ（Ｅｌｅｍｅｎｔ  ＩＤ）サブフィールド（５４１）、長さ（Ｌｅｎｇｔｈ）サブフィールド（５４２）、測定トークン（Ｍｅａｓｕｒｅｍｅｎｔ  Ｔｏｋｅｎ）サブフィールド（５４３）、測定リポートモード（Ｍｅａｓｕｒｅｍｅｎｔ  Ｒｅｐｏｒｔ  Ｍｏｄｅ）サブフィールド（５４４）、測定タイプ（Ｍｅａｓｕｒｅｍｅｎｔ  Ｔｙｐｅ）サブフィールド（５４５）、及び測定リポート（Ｍｅａｓｕｒｅｍｅｎｔ  Ｒｅｐｏｒｔ）サブフィールド（５４６）を含む。
【０１１９】
要素ＩＤサブフィールド（５４１）は、測定リポート要素を指示する値に設定される。長さサブフィールド（５４２）に設定される値は可変的であり、その値は、測定リポートサブフィールド（５４６）の長さに依存する。測定トークンサブフィールド（５４３）は、該当トリガＳＴＡ統計リポートフレーム（５００）の測定リポート要素間で固有の０でない値に設定される。測定リポートモードサブフィールド（５４４）は、失敗したり、または拒絶した測定要請に対する具体的な理由（遅延、不能、拒絶等）を指示するために使われ、一つまたはその以上のビットで構成される。測定タイプサブフィールド（５４５）は、測定リポート要素（５４０）を識別するための値に設定され、本実施例ではＳＴＡ統計リポートを指示する値に設定されることができる。
【０１２０】
測定リポートサブフィールド（５４６）には測定タイプサブフィールド（５４５）で指示する測定タイプに対する詳細な測定内容が含まれる。トリガＳＴＡ統計リポートフレーム（５００）の場合には収集されたり、測定されたＳＴＡ統計結果と関連する詳細な内容が含まれることができる。例えば、測定リポートサブフィールド（５４６）は、測定持続時間内に測定された要請された統計グループデータ値の変化を報告するためのものであって、測定持続時間が０の場合には統計グループデータ値が変化でない現在の値を報告する。測定要請サブフィールド（５４６）は、測定持続時間（Ｍｅａｓｕｒｅｍｅｎｔ  Ｄｕｒａｔｉｏｎ）ユニット（５４６ａ）、グループ識別子（Ｇｒｏｕｐ  Ｉｄｅｎｔｉｔｙ）ユニット（５４６ｂ）、統計グループデータ（Ｓｔａｔｉｓｔｉｃｓ  Ｇｒｏｕｐ  Ｄａｔａ）ユニット（５４６ｃ）、及びリポーティング理由（Ｒｅｐｏｒｔｉｎｇ  Ｒｅａｓｏｎ）ユニット（５４６ｄ）を含むことができる。
【０１２１】
測定持続時間ユニット（５４６ａ）は、測定されて統計グループデータユニット（５４６ｃ）に含まれる値を求めるために所要された時間の間隔を指示する値に設定され、一般的に統計グループデータの変化に所要された時間の間隔である。ただし、トリガＳＴＡ統計リポートフレームの場合または現在の統計グループデータを報告する場合、前記測定持続時間ユニット（５４６ａ）は０に設定されることができる。また、トリガリポーティングをする場合にも測定持続時間ユニット（５４６ａ）は、所定の値、例えば‘６５５３５’に設定されることができる。
【０１２２】
グループ識別子ユニット（５４６ｂ）は、統計グループデータユニット（５４６ｃ）に含まれる統計データを記述する要請された統計グループを指示する値に設定される。統計グループを指示する値の一例は、前述した表１の通りであり、各統計グループ識別子に対して収集されたり、測定された一つまたはその以上の統計値が統計グループデータユニット（５４６ｃ）に含まれる。例えば、統計グループ識別子の値がＲＳＮＡカウンタを示す‘１１’の場合には報告される統計値（Ｒｅｔｕｒｎｅｄ  Ｓｔａｔａｔｉｓｔｉｃｓ  ｖａｌｕｅｓ）は、表２の通りである。
【０１２３】
【表２】
2010532947.tif 000004
リポーティング理由ユニット（５４６ｄ）は、報告ＳＴＡが該当トリガＳＴＡ統計リポートフレーム（５００）を伝送する理由を指示するビットフィールドである。このリポーティング理由ユニット（５４６ｄ）は、グループ識別子ユニット（５４６ｂ）によって指示される統計グループ名が非ＳＴＡカウンタ、ＱｏＳカウンタ、またはＲＳＮＡカウンタと関連がある場合にのみ有効な任意サブフィールドである。
【０１２４】
（ＳＴＡカウンタと関連するトリガＳＴＡ統計リポート手順）
図１３は、リポーティング理由ユニット（５４６ｄ）に対するフォーマットの一例を示すブロック図であり、図１２のグループ識別子ユニット（５４６ｂ）が第１及び第２のＳＴＡカウンタと関連する値（表１の例においてグループ識別子の値が０または１の値）に設定される場合である。図１３を参照すると、リポーティング理由ユニット（５４６ｄ）は、リポーティング理由を指示するための複数のビットフィールドを含む。例えば、失敗（ｄｏｔ１１Ｆａｉｌｅｄ）ビットフィールド（Ｂ０）、ＦＣＳエラー（ｄｏｔ１１ＦＣＳＥｒｒｏｒ）ビットフィールド（Ｂ１）、多重リトライ（ｄｏｔ１１Ｍｕｌｔｉｐｌｅ  ｒｅｔｒｙ）ビットフィールド（Ｂ２）、フレーム複製（ｄｏｔ１１ＦｒａｍｅＤｕｐｌｉｃａｔｅ）ビットフィールド（Ｂ３）、ＲＴＳ失敗（ｄｏｔ１１ＲＴＳＦａｉｌｕｒｅ）ビットフィールド（Ｂ４）、ＡＣＫ失敗フィールド（ｄｏｔ１１ＡＣＫＦａｉｌｕｒｅ）ビットフィールド（Ｂ５）、及びリトライ（ｄｏｔ１１Ｒｅｔｒｙ）ビットフィールド（Ｂ６）を含む。
【０１２５】
（ＱｏＳ  ＳＴＡカウンタと関連するトリガＳＴＡ統計リポート手順）
図１２のリポーティング理由ユニット（５４６ｄ）に対するフォーマットの他の例は図１４に示されており、図１４のフォーマットを有するユニットは、図１２のグループ識別子ユニット（５４６ｂ）がＱｏＳ  ＳＴＡカウンタと関連する値（表１の例においてグループ識別子の値が２乃至９のうちいずれか一つの値）に設定される場合である。図１４を参照すると、リポーティング理由ユニット（５４６ｄ）は、リポーティング理由を指示するための複数のビットフィールドを含む。例えば、ＱｏＳ失敗（ｄｏｔ１１ＱｏＳＦａｉｌｅｄ）ビットフィールド（Ｂ０）、ＱｏＳリトライ（ｄｏｔ１１ＱｏＳＲｅｔｒｙ）ビットフィールド（Ｂ１）、ＱｏＳ多重リトライ（ｄｏｔ１１ＱｏＳＭｕｌｔｉｐｌｅＲｅｔｒｙ）ビットフィールド（Ｂ２）、ＱｏＳフレーム複製（ｄｏｔ１１ＱｏＳＦｒａｍｅＤｕｐｌｉｃａｔｅ）ビットフィールド（Ｂ３）、ＱｏＳ  ＲＴＳ失敗（ｄｏｔ１１ＱｏＳＲＴＳＦａｉｌｕｒｅ）ビットフィールド（Ｂ４）、ＱｏＳ  ＡＣＫ失敗（ｄｏｔ１１ＱｏＳＡＣＫＦａｉｌｕｒｅ）ビットフィールド（Ｂ５）、及びＱｏＳ廃棄（ｄｏｔ１１ＱｏＳＤｉｓｃａｒｄｅｄ）ビットフィールド（Ｂ６）を含む。
【０１２６】
（ＲＳＮＡカウンタと関連するトリガＳＴＡ統計リポート手順）
図１２のリポーティング理由ユニット（５４６ｄ）に対するフォーマットの他の例は、図１５に示されており、図１５のフォーマットを有するユニットは、図１２のグループ識別子ユニット（５４６ｂ）がＲＳＮＡカウンタと関連する値（表１の例においてグループ識別子の値が１１）に設定される場合である。図１５を参照すると、リポーティング理由ユニット（５４６ｄ）は、リポーティング理由を指示するための複数のビットフィールドを含む。例えば、ＣＭＡＣＩＣＶエラー（ｄｏｔ１１ＲＳＮＡＳｔａｔｓＣＭＡＣＩＣＶＥｒｒｏｒｓ）ビットフィールド（Ｂ０）、ＣＭＡＣリプレイ閾値（ｄｏｔ１１ＲＳＮＡＳｔａｔｓＣＭＡＣＲｅｐｌａｙｓ）ビットフィールド（Ｂ１）、ＢＩＰリプレイ（ｄｏｔ１１ＲＳＮＡＳｔａｔｓＢＩＰＲｅｐｌａｙｓ）ビットフィールド（Ｂ２）、ＣＣＭＰリプレイ（ｄｏｔ１１ＲＳＮＡＳｔａｔｓＲｏｂｕｓｔＭｇｍｔＣＣＭＰＲｅｐｌａｙｓ）ビットフィールド（Ｂ３）、ＴＫＩＰＩＣＶエラー（ｄｏｔ１１ＲＳＮＡＳｔａｔｓＴＫＩＰＩＣＶＥｒｒｏｒｓ）ビットフィールド（Ｂ４）、ＴＫＩＰリプレイ（ｄｏｔ１１ＲＳＮＡＳｔａｔｓＴＫＩＰＲｅｐｌａｙｓ）ビットフィールド（Ｂ５）、ＣＣＭＰ復号エラー（ｄｏｔ１１ＲＳＮＡＳｔａｔｓＣＣＭＰＤｅｃｒｙｐｔＥｒｒｏｒｓ）ビットフィールド（Ｂ６）、及びＣＣＭＰリプレイ（ｄｏｔ１１ＲＳＮＡＳｔａｔｓＣＣＭＰｒｅｐｌａｙｓ）ビットフィールド（Ｂ７）を含む。
【０１２７】
以上、詳細に説明した本発明の実施例は、単に本発明の技術思想を示すための例示に過ぎず、前記実施例によって本発明の技術思想が限定されると解釈されてはならない。本発明の保護範囲は、特許請求の範囲によって特定される。
【０１２８】
本発明は、無線通信技術と関連するネットワーキング、通信プロトコル、及び無線通信システムにおける通信手順と関連あり、また、無線通信システムの構築と無線通信システムを構成する設備や装置（無線局及び基地局の両方とも含む）の製造などに適用されることができる。特に、本発明は、無線通信システムにおけるラジオ管理手順に適用されることができる。
【符号の説明】
【０１２９】
１００  トリガラジオ測定要請フレーム
１１０  カテゴリフィールド
１２０  アクションフィールド
１３０  ダイアローグトークンフィールド
１４０  反復回数フィールド
１５０  測定要請要素フィールド
１５６ａ  ランダム間隔サブフィールド
１５６ｂ  測定持続時間サブフィールド
１５６ｃ  グループ識別子サブフィールド
１５６ｄ  トリガリポーティングサブフィールド
１５６ｄ  トリガリポーティングサブフィールド
【図１】
2010532947.tif 000005
【図２】
2010532947.tif 000006
【図３】
2010532947.tif 000007
【図４】
2010532947.tif 000008
【図５】
2010532947.tif 000009
【図６】
2010532947.tif 000010
【図７】
2010532947.tif 000011
【図８】
2010532947.tif 000012
【図９】
2010532947.tif 000013
【図１０】
2010532947.tif 000014
【図１１】
2010532947.tif 000015
【図１２】
2010532947.tif 000016
【図１３】
2010532947.tif 000017
【図１４】
2010532947.tif 000018
【図１５】
2010532947.tif 000019
【手続補正書】
【提出日】平成22年2月19日(2010.2.19)
【手続補正１】
【補正対象書類名】明細書
【補正対象項目名】００１５
【補正方法】変更
【補正の内容】
【００１５】
本発明の他の態様によると、無線通信ネットワークにおけるステーション統計測定手順のための測定要請要素を含むトリガリポーティングフィールドのフォーマットが提供される。前記トリガリポーティングフィールドは、トリガステーション統計リポーティングが要請される時、リポートトリガを特定するビットフィールドであるＱｏＳステーションカウンタトリガ条件サブフィールド；及び前記対応するリポートトリガに対するＱｏＳ閾値として使われるＭＳＤＵの個数を示す値を特定する一つまたはその以上のＱｏＳ閾値サブフィールドを含み、及び各ＱｏＳ閾値サブフィールドは、前記ＱｏＳステーションカウンタトリガ条件サブフィールドにおいて、対応するビットフィールドが‘１’に設定される時に存在する。
（項目１）
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信することを含むラジオ測定手順。
（項目２）
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する項目１に記載のラジオ測定手順。
（項目３）
前記ＱｏＳステーションカウンタトリガ条件サブフィールドは、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち一つに設定された一つまたはその以上のビットフィールドを含む項目２に記載のラジオ測定手順。
（項目４）
前記ＱｏＳステーションカウンタに対するトリガリポーティングフィールドは、ＱｏＳ失敗閾値（ＱｏＳ  Ｆａｉｌｅｄ  Ｔｈｒｅｓｈｏｌｄ）サブフィールド、ＱｏＳリトライ閾値（ＱｏＳ  Ｒｅｔｒｙ  Ｔｈｒｅｓｈｏｌｄ）サブフィールド、ＱｏＳ多重リトライ閾値（ＱｏＳ  Ｍｕｌｔｉｐｌｅ  Ｒｅｔｒｙ  Ｔｈｒｅｓｈｏｌｄ）サブフィールド、ＱｏＳフレーム複製閾値（ＱｏＳ  Ｆｒａｍｅ  Ｄｕｐｌｉｃａｔｅ  Ｔｈｒｅｓｈｏｌｄ）サブフィールド、ＱｏＳ  ＲＴＳ失敗閾値（ＱｏＳ  ＲＴＳ  Ｆａｉｌｕｒｅ  Ｔｈｒｅｓｈｏｌｄ）サブフィールド、ＱｏＳ  ＡＣＫ失敗閾値（ＱｏＳ  ＡＣＫ  Ｆａｉｌｕｒｅ  Ｔｈｒｅｓｈｏｌｄ）サブフィールド、ＱｏＳ廃棄閾値（ＱｏＳ  Ｄｉｓｃａｒｄｅｄ  Ｔｈｒｅｓｈｏｌｄ）サブフィールドのうち一つまたはその以上のサブフィールドを含む項目２に記載のラジオ測定手順。
（項目５）
前記ＱｏＳステーションカウンタに対するトリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む項目４に記載のラジオ測定手順。
（項目６）
前記グループ識別子フィールド及び前記ＱｏＳステーションカウンタに対するトリガリポーティングフィールドは、測定要請要素の測定要請に含まれて、
前記測定要請要素は、ステーション統計要請を指示する値に設定される測定類型をさらに含み、前記トリガＱｏＳステーション統計測定要請メッセージである第１のラジオ測定要請フレームに含まれる項目１に記載のラジオ測定手順。
（項目７）
前記グループ識別子フィールドは、ＱｏＳカウンタテーブルからのＵＰ０に対するＱｏＳステーションカウンタ、ＱｏＳカウンタテーブルからのＵＰ１に対するＱｏＳステーションカウンタ、ＱｏＳカウンタテーブルからのＵＰ２に対するＱｏＳステーションカウンタ、ＱｏＳカウンタテーブルからのＵＰ３に対するＱｏＳステーションカウンタ、ＱｏＳカウンタテーブルからのＵＰ４に対するＱｏＳステーションカウンタ、ＱｏＳカウンタテーブルからのＵＰ５に対するＱｏＳステーションカウンタ、ＱｏＳカウンタテーブルからのＵＰ６に対するＱｏＳステーションカウンタ、及びＱｏＳカウンタテーブルからのＵＰ７に対するＱｏＳステーションカウンタのうち一つのＱｏＳステーションカウンタを指示する値に設定される項目６に記載のラジオ測定手順。
（項目８）
前記測定要請は、０に設定された測定持続時間（Ｍｅａｓｕｒｅｍｅｎｔ  Ｄｕｒａｔｉｏｎ）フィールドをさらに含む項目６に記載のラジオ測定手順。
（項目９）
前記測定要請要素内のイネイブルビット（ｅｎａｂｌｅ  ｂｉｔ）及びリポートビット（ｒｅｐｏｒｔ  ｂｉｔ）の両方とも１に設定される項目６に記載のラジオ測定手順。
（項目１０）
前記被要請ステーションが前記第１のラジオ測定要請フレームによって開始された前記トリガＱｏＳステーション統計測定を終了するために、イネイブルビットは１に、リポートビットは０に設定されたＱｏＳステーション統計測定要請を含む第２のラジオ測定要請フレームを前記被要請ステーションに伝送することをさらに含む項目９に記載のラジオ測定手順。
（項目１１）
前記トリガ条件をアップデートするために新しいトリガ条件を含む第３のラジオ測定要請フレームを前記被要請ステーションに伝送することをさらに含む項目６に記載のラジオ測定手順。
（項目１２）
前記ＱｏＳステーション統計測定リポートメッセージは、測定リポート要素を含むラジオ測定報告フレームであり、
前記測定リポート要素は、ＱｏＳステーション統計リポートを指示する値に設定された測定類型及び測定リポートを含み、
前記測定リポートは、前記被要請ステーションが前記ＱｏＳステーション統計測定リポートメッセージを送る理由を指示するビットフィールドであるリポーティング理由（Ｒｅｐｏｒｔｉｎｇ  Ｒｅａｓｏｎ）フィールドを含む項目６に記載のラジオ測定手順。
（項目１３）
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを要請ステーションから受信して、
前記要請されたＱｏＳステーション統計を測定して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記要請ステーションに伝送することを含むラジオ測定手順。
（項目１４）
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する項目１３に記載のラジオ測定手順。
（項目１５）
前記ＱｏＳステーションカウンタトリガ条件は、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち一つに設定された一つまたはその以上のビットフィールドを含む項目１４に記載のラジオ測定手順。
（項目１６）
前記ＱｏＳステーションカウンタに対するトリガリポーティングフィールドは、ＱｏＳ失敗閾値（ＱｏＳ  Ｆａｉｌｅｄ  Ｔｈｒｅｓｈｏｌｄ）サブフィールド、ＱｏＳリトライ閾値（ＱｏＳ  Ｒｅｔｒｙ  Ｔｈｒｅｓｈｏｌｄ）サブフィールド、ＱｏＳ多重リトライ閾値（ＱｏＳ  Ｍｕｌｔｉｐｌｅ  Ｒｅｔｒｙ  Ｔｈｒｅｓｈｏｌｄ）サブフィールド、ＱｏＳフレーム複製閾値（ＱｏＳ  Ｆｒａｍｅ  Ｄｕｐｌｉｃａｔｅ  Ｔｈｒｅｓｈｏｌｄ）サブフィールド、ＱｏＳ  ＲＴＳ失敗閾値（ＱｏＳ  ＲＴＳ  Ｆａｉｌｕｒｅ  Ｔｈｒｅｓｈｏｌｄ）サブフィールド、ＱｏＳ  ＡＣＫ失敗閾値（ＱｏＳ  ＡＣＫ  Ｆａｉｌｕｒｅ  Ｔｈｒｅｓｈｏｌｄ）サブフィールド、ＱｏＳ廃棄閾値（ＱｏＳ  Ｄｉｓｃａｒｄｅｄ  Ｔｈｒｅｓｈｏｌｄ）サブフィールドのうち一つまたはその以上のサブフィールドを含む項目１４に記載のラジオ測定手順。
（項目１７）
前記ＱｏＳステーションカウンタに対するトリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む項目１６に記載のラジオ測定手順。
（項目１８）
前記グループ識別子フィールド及び前記ＱｏＳステーションカウンタに対するトリガリポーティングフィールドは、測定要請要素の測定要請に含まれて、
前記測定要請要素は、ステーション統計要請を指示する値に設定される測定類型をさらに含み、前記トリガＱｏＳステーション統計測定要請メッセージである第１のラジオ測定要請フレームに含まれる項目１３に記載のラジオ測定手順。
（項目１９）
前記測定要請は、０に設定された測定持続時間（Ｍｅａｓｕｒｅｍｅｎｔ  Ｄｕｒａｔｉｏｎ）フィールドをさらに含み、
前記測定要請要素内のイネイブルビット（ｅｎａｂｌｅ  ｂｉｔ）及びリポートビット（ｒｅｐｏｒｔ  ｂｉｔ）の両方とも１に設定された項目１８に記載のラジオ測定手順。
（項目２０）
イネイブルビットは１に、リポートビットは０に設定されたＱｏＳステーション統計測定要請を含む第２のラジオ測定要請フレームを前記要請ステーションから受信する場合、前記第１のラジオ測定要請フレームによって開始された前記トリガＱｏＳステーション統計測定を終了することをさらに含む項目１９に記載のラジオ測定手順。
（項目２１）
新しいトリガ条件を含む第３のラジオ測定要請フレームを前記要請ステーションから受信する場合、前記トリガ条件をアップデートすることをさらに含む項目１３に記載のラジオ測定手順。
（項目２２）
前記ＱｏＳステーション統計測定リポートメッセージは、測定リポート要素を含むラジオ測定報告フレームであり、
前記測定リポート要素は、ＱｏＳステーション統計リポートを指示する値に設定された測定類型及び測定リポートを含み、
前記測定リポートは、前記ＱｏＳステーション統計測定リポートメッセージを送る理由を指示するビットフィールドであるリポーティング理由（Ｒｅｐｏｒｔｉｎｇ  Ｒｅａｓｏｎ）フィールドを含む項目１３に記載のラジオ測定手順。
（項目２３）
前記測定されたＱｏＳステーション統計は、前記トリガリポーティングフィールドの測定カウントフィールドで与えられた前記トリガ条件以前に伝送されたＭＳＤＵの数にわたって累積された値である項目１３に記載のラジオ測定手順。
（項目２４）
無線通信ネットワークにおけるステーション統計測定のためのラジオ測定手順を支援するステーションにおいて、
フレームを生成して処理するプロセッサ；及び
前記プロセッサと連結されて、前記プロセッサのためのフレームを伝送して受信する送受信機を含み、前記送受信機は、
前記プロセッサによって生成されて、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドを含むトリガステーション統計測定要請メッセージを被要請ステーションに伝送して、及び
前記トリガステーション統計測定要請メッセージのＱｏＳステーションカウンタに対するトリガリポーティングフィールドで特定されたトリガ条件である時、ＱｏＳステーション統計測定リポートメッセージを前記被要請ステーションから受信するステーション。
（項目２５）
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する項目２４に記載のステーション。
（項目２６）
無線通信ネットワークにおけるトリガステーション統計測定手順のためのラジオ測定要請フレームを構成する方法において、前記ラジオ測定要請フレームは、
ラジオ測定カテゴリを指示する値に設定されたカテゴリフィールド；
測定要請を指示する値に設定されたアクションフィールド；及び
一つまたはその以上の測定要請要素を含む測定要請要素フィールドを含み、
前記一つまたはその以上の測定要請要素の各々は、
測定要請要素を指示する要素ＩＤフィールド；
前記一つまたはその以上の測定要請要素のうち固有の０でない値に設定された測定トークンフィールド；
イネイブルビットが１に、リポートビットが１に設定された測定要請モードフィールド；
ステーション統計要請を指示する値に設定された測定類型フィールド；及び
測定持続時間（Ｍｅａｓｕｒｅｍｅｎｔ  Ｄｕｒａｔｉｏｎ）フィールド、グループ識別子フィールド、及びＱｏＳステーションカウンタに対するトリガリポーティングフィールドを含む測定要請フィールドを含み、
前記グループ識別子フィールドは、ＱｏＳカウンタテーブルからのＵＰ０に対するＱｏＳステーションカウンタ、ＱｏＳカウンタテーブルからのＵＰ１に対するＱｏＳステーションカウンタ、ＱｏＳカウンタテーブルからのＵＰ２に対するＱｏＳステーションカウンタ、ＱｏＳカウンタテーブルからのＵＰ３に対するＱｏＳステーションカウンタ、ＱｏＳカウンタテーブルからのＵＰ４に対するＱｏＳステーションカウンタ、ＱｏＳカウンタテーブルからのＵＰ５に対するＱｏＳステーションカウンタ、ＱｏＳカウンタテーブルからのＵＰ６に対するＱｏＳステーションカウンタ、及びＱｏＳカウンタテーブルからのＵＰ７に対するＱｏＳステーションカウンタのうち一つのＱｏＳステーションカウンタを指示する値に設定されて、及び
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する方法。
（項目２７）
前記測定要請要素の各々は、０に設定された前記測定持続時間（Ｍｅａｓｕｒｅｍｅｎｔ  Ｄｕｒａｔｉｏｎ）フィールドをさらに含む項目２６に記載の方法。
（項目２８）
無線通信ネットワークにおけるステーション統計測定手順のための測定要請要素を含むトリガリポーティングフィールドのフォーマットにおいて、前記トリガリポーティングフィールドは、
トリガステーション統計リポーティングが要請される時、リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在するトリガリポーティングフィールドのフォーマット。
（項目２９）
前記ＱｏＳステーションカウンタトリガ条件は、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち少なくとも一つのビットフィールドを含む項目２８に記載のトリガリポーティングフィールドのフォーマット。
（項目３０）
前記トリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む項目２８に記載のトリガリポーティングフィールドのフォーマット。
【手続補正２】
【補正対象書類名】特許請求の範囲
【補正対象項目名】全文
【補正方法】変更
【補正の内容】
【特許請求の範囲】
【請求項１】
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドのうち少なくとも一つを含むトリガステーション統計測定要請メッセージを被要請ステーションに伝送して、及び
前記トリガステーション統計測定要請メッセージのＱｏＳ（Ｑｕａｌｉｔｙ  ｏｆ  Ｓｅｒｖｉｃｅ）ステーションカウンタに対するトリガリポーティングフィールドで特定されたトリガ条件が成立される時、ＱｏＳステーション統計測定リポートメッセージを前記被要請ステーションから受信することを含むラジオ測定手順。
【請求項２】
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵ（Ｍｅｄｉｕｍ  Ａｃｃｅｓｓ  Ｃｏｎｔｒｏｌ  Ｓｅｒｖｉｃｅ  Ｄａｔａ  Ｕｎｉｔ）の個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する請求項１に記載のラジオ測定手順。
【請求項３】
前記ＱｏＳステーションカウンタトリガ条件サブフィールドは、ＱｏＳ失敗（ＱｏＳ  ｆａｉｌｅｄ）ビットフィールド、ＱｏＳリトライ（ＱｏＳ  ｒｅｔｒｙ）ビットフィールド、ＱｏＳ多重リトライ（ＱｏＳ  ｍｕｌｔｉｐｌｅ  ｒｅｔｒｙ）ビットフィールド、ＱｏＳフレーム複製（ＱｏＳ  ｆｒａｍｅ  ｄｕｐｌｉｃａｔｅ）ビットフィールド、ＱｏＳ  ＲＴＳ失敗（ＱｏＳ  ＲＴＳ  ｆａｉｌｕｒｅ）ビットフィールド、ＱｏＳ  ＡＣＫ失敗（ＱｏＳ  ＡＣＫ  ｆａｉｌｕｒｅ）ビットフィールド、ＱｏＳ廃棄（ＱｏＳ  ｄｉｓｃａｒｄｅｄ）ビットフィールドのうち一つに設定された一つまたはその以上のビットフィールドを含む請求項２に記載のラジオ測定手順。
【請求項４】
前記ＱｏＳステーションカウンタに対するトリガリポーティングフィールドは、ＱｏＳ失敗閾値（ＱｏＳ  Ｆａｉｌｅｄ  Ｔｈｒｅｓｈｏｌｄ）サブフィールド、ＱｏＳリトライ閾値（ＱｏＳ  Ｒｅｔｒｙ  Ｔｈｒｅｓｈｏｌｄ）サブフィールド、ＱｏＳ多重リトライ閾値（ＱｏＳ  Ｍｕｌｔｉｐｌｅ  Ｒｅｔｒｙ  Ｔｈｒｅｓｈｏｌｄ）サブフィールド、ＱｏＳフレーム複製閾値（ＱｏＳ  Ｆｒａｍｅ  Ｄｕｐｌｉｃａｔｅ  Ｔｈｒｅｓｈｏｌｄ）サブフィールド、ＱｏＳ  ＲＴＳ失敗閾値（ＱｏＳ  Ｒｅｑｕｅｓｔ  Ｔｏ  Ｓｅｎｄ  Ｆａｉｌｕｒｅ  Ｔｈｒｅｓｈｏｌｄ）サブフィールド、ＱｏＳ  ＡＣＫ失敗閾値（ＱｏＳ  ＡＣＫ  Ｆａｉｌｕｒｅ  Ｔｈｒｅｓｈｏｌｄ）サブフィールド、ＱｏＳ廃棄閾値（ＱｏＳ  Ｄｉｓｃａｒｄｅｄ  Ｔｈｒｅｓｈｏｌｄ）サブフィールドのうち一つまたはその以上のサブフィールドを含む請求項２に記載のラジオ測定手順。
【請求項５】
前記ＱｏＳステーションカウンタに対するトリガリポーティングフィールドは、
前記測定されたＱｏＳステーション統計が、対応するＱｏＳ閾値サブフィールドで特定された値を超えるか否かを決定するのに使用するＭＳＤＵの数を含む測定カウントサブフィールド；及び
前記トリガ条件がみたされた以後に前記被要請ステーションが追加的なトリガＱｏＳステーション統計リポートフレームを生成しない区間値を含むトリガタイムアウトサブフィールドをさらに含む請求項４に記載のラジオ測定手順。
【請求項６】
前記グループ識別子フィールド及び前記ＱｏＳステーションカウンタに対するトリガリポーティングフィールドは、測定要請要素の測定要請に含まれて、
前記測定要請要素は、ステーション統計要請を指示する値に設定される測定類型をさらに含み、前記トリガＱｏＳステーション統計測定要請メッセージである第１のラジオ測定要請フレームに含まれる請求項１に記載のラジオ測定手順。
【請求項７】
前記グループ識別子フィールドは、ＱｏＳカウンタテーブルからのＵＰ０に対するＱｏＳステーションカウンタ、ＱｏＳカウンタテーブルからのＵＰ１に対するＱｏＳステーションカウンタ、ＱｏＳカウンタテーブルからのＵＰ２に対するＱｏＳステーションカウンタ、ＱｏＳカウンタテーブルからのＵＰ３に対するＱｏＳステーションカウンタ、ＱｏＳカウンタテーブルからのＵＰ４に対するＱｏＳステーションカウンタ、ＱｏＳカウンタテーブルからのＵＰ５に対するＱｏＳステーションカウンタ、ＱｏＳカウンタテーブルからのＵＰ６に対するＱｏＳステーションカウンタ、及びＱｏＳカウンタテーブルからのＵＰ７に対するＱｏＳステーションカウンタのうち一つのＱｏＳステーションカウンタを指示する値に設定される請求項６に記載のラジオ測定手順。
【請求項８】
前記測定要請は、０に設定された測定持続時間（Ｍｅａｓｕｒｅｍｅｎｔ  Ｄｕｒａｔｉｏｎ）フィールドをさらに含む請求項６に記載のラジオ測定手順。
【請求項９】
前記測定要請要素内のイネイブルビット（ｅｎａｂｌｅ  ｂｉｔ）及びリポートビット（ｒｅｐｏｒｔ  ｂｉｔ）の両方とも１に設定される請求項６に記載のラジオ測定手順。
【請求項１０】
前記被要請ステーションが前記第１のラジオ測定要請フレームによって開始された前記トリガＱｏＳステーション統計測定を終了するために、イネイブルビットは１に、リポートビットは０に設定されたＱｏＳステーション統計測定要請を含む第２のラジオ測定要請フレームを前記被要請ステーションに伝送することをさらに含む請求項９に記載のラジオ測定手順。
【請求項１１】
前記トリガ条件をアップデートするために新しいトリガ条件を含む第３のラジオ測定要請フレームを前記被要請ステーションに伝送することをさらに含む請求項６に記載のラジオ測定手順。
【請求項１２】
前記ＱｏＳステーション統計測定リポートメッセージは、測定リポート要素を含むラジオ測定報告フレームであり、
前記測定リポート要素は、ＱｏＳステーション統計リポートを指示する値に設定された測定類型及び測定リポートを含み、
前記測定リポートは、前記被要請ステーションが前記ＱｏＳステーション統計測定リポートメッセージを送る理由を指示するビットフィールドであるリポーティング理由（Ｒｅｐｏｒｔｉｎｇ  Ｒｅａｓｏｎ）フィールドを含む請求項６に記載のラジオ測定手順。
【請求項１３】
無線通信ネットワークにおけるステーション統計測定のためのラジオ測定手順において、
要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドのうち少なくとも一つを含むトリガステーション統計測定要請メッセージを要請ステーションから受信して、
前記要請されたＱｏＳステーション統計を測定して、及び
前記トリガステーション統計測定要請メッセージのＱｏＳステーションカウンタに対するトリガリポーティングフィールドで特定されたトリガ条件が成立される時、ＱｏＳステーション統計測定リポートメッセージを前記要請ステーションに伝送することを含むラジオ測定手順。
【請求項１４】
前記ＱｏＳステーションカウンタに対するトリガリポーティングフィールドは、
前記リポートトリガを特定するビットフィールドであるＱｏＳステーションカウンタトリガ条件サブフィールド；及び
前記対応するリポートトリガに対するＱｏＳ閾値として使われるＭＳＤＵの個数を示す値を特定する一つまたはその以上のＱｏＳ閾値サブフィールドを含み、及び
各ＱｏＳ閾値サブフィールドは、前記ＱｏＳステーションカウンタトリガ条件サブフィールドにおいて、対応するビットフィールドが‘１’に設定される時に存在する請求項１３に記載のラジオ測定手順。
【請求項１５】
無線通信ネットワークにおけるステーション統計測定のためのラジオ測定手順を支援するステーションにおいて、
フレームを生成して処理するプロセッサ；及び
前記プロセッサと連結されて、前記プロセッサのためのフレームを伝送して受信する送受信機を含み、前記送受信機は、
前記プロセッサによって生成されて、要請されたＱｏＳ統計グループを特定するグループ識別子フィールド、及びリポートトリガと対応するリポートトリガに対するＱｏＳ統計閾値とを含むトリガ条件を特定するＱｏＳステーションカウンタに対するトリガリポーティングフィールドのうち少なくとも一つを含むトリガステーション統計測定要請メッセージを被要請ステーションに伝送して、及び
前記トリガステーション統計測定要請メッセージのＱｏＳステーションカウンタに対するトリガリポーティングフィールドで特定されたトリガ条件が成立される時、ＱｏＳステーション統計測定リポートメッセージを前記被要請ステーションから受信するステーション。
【国際調査報告】
2010532947.tif 000020
2010532947.tif 000021